(57)【要約】【課題】光源の特性に変化が生じている場合において画面に表示するための映像の輝度および色度を補正する。【解決手段】各映像表示装置Ｄｐは、光源３の累積駆動時間が、当該光源３の特性に変化を生じさせるための基準時間ｉ以上の時間となった状況Ｓｔｉのもとで当該映像表示装置Ｄｐの画面１０に表示するための映像である表示対象映像Ｉｍｉの輝度および色度を補正するための処理である補正処理を行う。【選択図】図１
2017072625.tif 000002
【特許請求の範囲】
【請求項１】
画面を有し、かつ、互いに通信する複数の映像表示装置を含むマルチ画面表示装置であって、
前記複数の映像表示装置がそれぞれ有する複数の前記画面から構成されるマルチ画面を含み、
各前記映像表示装置は、
光を出射することによって駆動する少なくとも１つの光源を備え、
前記各映像表示装置の前記光源が出射する前記光である出射光の一部は、当該映像表示装置の前記画面に映像を表示するために使用され、
前記各映像表示装置には、元映像を示す映像信号が供給され、
前記各映像表示装置の前記画面に、前記映像信号が示す前記元映像に基づいて、前記出射光の一部が変調された映像光が照射されることにより、当該画面に前記映像が表示され、
前記マルチ画面表示装置は、
目標となる輝度である目標輝度、および、目標となる色度である目標色度を特定するための目標データを算出する機能を有する第１算出部を備え、
前記第１算出部は、前記光源の累積駆動時間が、当該光源の特性に変化を生じさせるための基準時間以上の時間となった第１状況における、前記各映像表示装置の前記出射光の別の一部に基づいて、当該第１状況のもとで当該各映像表示装置が当該映像表示装置の前記画面において表現可能な前記目標輝度および前記目標色度を特定するための目標データを算出し、
前記各映像表示装置は、さらに、
前記第１状況に対応する前記目標データに基づいて、前記映像信号が示す前記元映像の輝度および色度を補正するための補正係数を算出する第２算出部を備え、
前記各映像表示装置は、前記補正係数に基づいて、前記映像信号が示す前記元映像の輝度および色度を補正することにより、前記第１状況のもとで当該映像表示装置の前記画面に表示するための前記映像である表示対象映像の輝度および色度を補正するための処理である補正処理を行う
マルチ画面表示装置。
【請求項２】
前記補正係数は、前記表示対象映像の輝度と前記第１状況における前記目標輝度との差の絶対値を最小にし、かつ、当該表示対象映像の色度と当該第１状況における前記目標色度との差の絶対値を最小にするための係数であり、
前記各映像表示装置は、前記補正係数に基づいて、前記表示対象映像の輝度と前記目標輝度との差の絶対値を最小にし、かつ、当該表示対象映像の色度と前記目標色度との差の絶対値を最小にする前記補正処理を行う
請求項１に記載のマルチ画面表示装置。
【請求項３】
前記光源は、前記出射光の輝度を変化させる機能を有し、
前記各映像表示装置は、さらに、
前記出射光の輝度が変化するように前記光源を制御する機能を有する光源制御部を備え、
前記累積駆動時間が、０以上であって、かつ、前記基準時間の１／ｈ（ｈは２以上の整数）倍の時間以下の時間である第２状況において、前記光源が出射する前記出射光の輝度の最大値は、第１の値であり、
前記第１状況において、前記光源が出射する前記出射光の輝度の最大値は、前記第１の値より小さい第２の値であり、
前記光源制御部は、前記第２状況において、前記第１の値より小さく、かつ、前記第２の値以下である抑制値を示す輝度を有する前記出射光を前記光源が出射するように、当該光源を制御し、
前記第２状況において前記画面に表示される前記映像の輝度をＹｔと表現し、前記第１状況において前記画面に表示される前記映像の輝度をＹｉと表現した場合、前記光源制御部は、さらに、
（ａ１）Ｙｉ≧Ｙｔが成立し、かつ、
（ａ２）前記第１状況において、前記第２の値以下であって、かつ、前記抑制値以上の値を示す輝度を有する前記出射光を前記光源が出射するように、
前記光源を制御する
請求項１または２に記載のマルチ画面表示装置。
【請求項４】
前記マルチ画面表示装置は、３つの前記光源を備え、
前記３つの前記光源は、それぞれ、第１光源、第２光源および第３光源であり、
前記第１光源の前記出射光は、赤色光であり、
前記第２光源の前記出射光は、緑色光であり、
前記第３光源の前記出射光は、青色光であり、
前記補正係数は、前記第１状況における前記赤色光、前記緑色光および前記青色光によって表現可能な白色を、前記累積駆動時間が、０以上であって、かつ、前記基準時間の１／ｈ（ｈは２以上の整数）倍の時間以下の時間である第２状況における当該赤色光、当該緑色光および当該青色光によって表現可能な白色にするための係数である
請求項１から３のいずれか１項に記載のマルチ画面表示装置。
【請求項５】
前記光源は、ＬＥＤ（Light Emitting Diode）である
請求項１から４のいずれか１項に記載のマルチ画面表示装置。
【発明の詳細な説明】
【技術分野】
【０００１】
本発明は、複数の映像表示装置がそれぞれ有する複数の画面から構成されるマルチ画面に映像を表示するマルチ画面表示装置に関する。
【背景技術】
【０００２】
大規模な画面に映像を表示する装置として、マルチ画面表示装置が存在する。マルチ画面表示装置は、複数の映像表示装置から構成される。また、マルチ画面表示装置は、複数の映像表示装置がそれぞれ有する複数の画面から構成されるマルチ画面を含む。マルチ画面表示装置は、マルチ画面に映像を表示する。当該映像は、例えば、マルチ画面を構成する各画面にまたがって表示されるカラー映像である。当該映像は、カメラで撮影された映像、テレビ用の映像等である。また、当該映像は、例えば、通信系統図、運行系統図等を示す映像である。
【０００３】
マルチ画面表示装置を構成する各映像表示装置は、例えば、投写型映像表示装置である。投写型映像表示装置は、光源からの光を画像表示デバイスに照射することにより、映像光を生成し、当該映像光を画面（スクリーン）の背面に投写する。これにより、当該画面に映像が表示される。
【０００４】
近年では、映像表示装置の低消費電力化、光源の長寿命化等の要求が高まっている。そのため、上記の各映像表示装置において、ＬＥＤ（Light Emitting Diode：発光ダイオード）が、光源として使用されるケースが増えている。当該各映像表示装置は、例えば、赤色、緑色および青色の３原色の光をそれぞれ発する３個のＬＥＤからなる光源装置からの光を、ダイクロイックミラーまたはダイクロイックプリズム等によって合成する。当該映像表示装置は、当該合成により得られた光を、ＤＭＤ（Digital Micromirror Device）等の画像表示デバイスによって映像光に変調し、カラー映像を示す当該映像光を画面に投写する。
【０００５】
当該各映像表示装置における、光源としての各ＬＥＤは異なる特性を有する。そのため、マルチ画面表示装置を構成する各映像表示装置間において、画面に照射される映像光の輝度および色度のばらつきが発生する場合がある。なお、映像光の輝度および色度のばらつきは、マルチ画面表示装置の使用開始の初期段階に既に存在する場合がある。また、映像光の輝度および色度のばらつきは、マルチ画面表示装置の使用時間の経過に伴って、発生する場合もある。
【０００６】
映像光の輝度および色度にばらつきが存在する場合、マルチ画面表示装置のマルチ画面を構成する各画面間において、輝度差、色度差等が目立つ。この場合、マルチ画面全体に表示される映像の一体感が損なわれる。そのため、マルチ画面を構成する各画面間において、輝度差、色度差が小さくなるように、各映像表示装置において調整する必要がある。
【０００７】
特許文献１では、マルチ画面に照射される白色光の色度を調整するための技術（以下、「関連技術Ａ」ともいう）が開示されている。具体的には、関連技術Ａに係るマルチビジョンシステムを構成する各液晶プロジェクタは、当該液晶プロジェクタが有するセンサにより、白色光の輝度を測定する。そして、当該各液晶プロジェクタは、測定された輝度に基づいて、白色光の輝度および色度を、所望の輝度および色度に調整する。
【０００８】
なお、関連技術Ａの上記調整が、マルチビジョンシステムの設置後に行われた場合、マルチビジョンシステムの使用開始の初期段階から、白色の輝度および色度を略一定に保つことができる。
【０００９】
特許文献２では、マルチ画面を構成する各画面間の輝度および色度を、人間の手によらず、自動的に調整する技術（以下、「関連技術Ｂ」ともいう）が開示されている。具体的には、関連技術Ｂでは、マルチ画面表示装置の設置の際に、マルチ画面表示装置を構成する各投写型映像表示装置のメモリに記憶された輝度・色度データに基づいて、当該各投写型映像表示装置は、目標輝度・色度を算出する。そして、当該各投写型映像表示装置は、目標輝度・色度に基づいて、映像の輝度および色度を調整する。
【先行技術文献】
【特許文献】
【００１０】
【特許文献１】特開平１０−０９０６４５号公報
【特許文献２】特許第４８２３６６０号公報
【発明の概要】
【発明が解決しようとする課題】
【００１１】
光源は、当該光源の累積駆動時間が長くなるのに伴い、当該光源の特性に変化が生じる場合がある。なお、マルチ画面表示装置を構成する各映像表示装置の光源の特性に変化が生じるタイミングは、当該各映像表示装置において異なる場合が多い。例えば、各映像表示装置の一部の光源の特性に変化が生じた場合、マルチ画面表示装置のマルチ画面を構成する各画面に表示される映像の輝度および色度が、異なってしまう。そこで、光源の特性に変化が生じている状況においては、マルチ画面を構成する各画面に表示するための映像の輝度および色度を補正することが求められる。
【００１２】
関連技術Ａ，Ｂでは、累積駆動時間が長くなるのに伴って、光源の特性に変化が生じている場合に、各映像表示装置の各画面に表示するための映像の輝度および色度を補正することはできない。
【００１３】
本発明は、このような問題を解決するためになされたものであり、光源の特性に変化が生じている場合において画面に表示するための映像の輝度および色度を補正することが可能なマルチ画面表示装置を提供することを目的とする。
【課題を解決するための手段】
【００１４】
上記目的を達成するために、本発明の一態様に係るマルチ画面表示装置は、画面を有し、かつ、互いに通信する複数の映像表示装置を含む。前記マルチ画面表示装置は、前記複数の映像表示装置がそれぞれ有する複数の前記画面から構成されるマルチ画面を含み、各前記映像表示装置は、光を出射することによって駆動する少なくとも１つの光源を備え、前記各映像表示装置の前記光源が出射する前記光である出射光の一部は、当該映像表示装置の前記画面に映像を表示するために使用され、前記各映像表示装置には、元映像を示す映像信号が供給され、前記各映像表示装置の前記画面に、前記映像信号が示す前記元映像に基づいて、前記出射光の一部が変調された映像光が照射されることにより、当該画面に前記映像が表示され、前記マルチ画面表示装置は、目標となる輝度である目標輝度、および、目標となる色度である目標色度を特定するための目標データを算出する機能を有する第１算出部を備え、前記第１算出部は、前記光源の累積駆動時間が、当該光源の特性に変化を生じさせるための基準時間以上の時間となった第１状況における、前記各映像表示装置の前記出射光の別の一部に基づいて、当該第１状況のもとで当該各映像表示装置が当該映像表示装置の前記画面において表現可能な前記目標輝度および前記目標色度を特定するための目標データを算出し、前記各映像表示装置は、さらに、前記第１状況に対応する前記目標データに基づいて、前記映像信号が示す前記元映像の輝度および色度を補正するための補正係数を算出する第２算出部を備え、前記各映像表示装置は、前記補正係数に基づいて、前記映像信号が示す前記元映像の輝度および色度を補正することにより、前記第１状況のもとで当該映像表示装置の前記画面に表示するための前記映像である表示対象映像の輝度および色度を補正するための処理である補正処理を行う。
【発明の効果】
【００１５】
本発明によれば、各映像表示装置は、前記光源の累積駆動時間が、当該光源の特性に変化を生じさせるための基準時間以上の時間となった第１状況のもとで当該映像表示装置の前記画面に表示するための前記映像である表示対象映像の輝度および色度を補正するための処理である補正処理を行う。
【００１６】
これにより、マルチ画面表示装置は、光源の特性に変化が生じている場合において画面に表示するための映像の輝度および色度を補正することができる。
【図面の簡単な説明】
【００１７】
【図１】本発明の実施の形態１に係るマルチ画面表示装置の構成を模式的に示す図である。
【図２】本発明の実施の形態１に係るマルチ画面表示装置の正面図である。
【図３】マルチ画面を説明するための図である。
【図４】１フレーム期間を説明するための図である。
【図５】本発明の実施の形態１に係る映像補正処理Ｎのフローチャートである。
【図６】目標色度の算出方法を説明するための図である。
【図７】本発明の実施の形態１に係る映像補正処理Ｉのフローチャートである。
【図８】マルチ画面表示装置の特徴的な機能構成を示すブロック図である。
【図９】マルチ画面表示装置のハードウエア構成図である。
【発明を実施するための形態】
【００１８】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１９】
＜実施の形態１＞
（マルチ画面表示装置の構成）
図１は、本発明の実施の形態１に係るマルチ画面表示装置１０００の構成を模式的に示す図である。
【００２０】
図１において、Ｘ方向、Ｙ方向およびＺ方向の各々は、互いに直交する。以下の図に示されるＸ方向、Ｙ方向およびＺ方向の各々も、互いに直交する。以下においては、Ｘ方向と、当該Ｘ方向の反対の方向（−Ｘ方向）とを含む方向を「Ｘ軸方向」ともいう。また、以下においては、Ｙ方向と、当該Ｙ方向の反対の方向（−Ｙ方向）とを含む方向を「Ｙ軸方向」ともいう。また、以下においては、Ｚ方向と、当該Ｚ方向の反対の方向（−Ｚ方向）とを含む方向を「Ｚ軸方向」ともいう。
【００２１】
また、以下においては、Ｘ軸方向およびＹ軸方向を含む平面を、「ＸＹ面」ともいう。また、以下においては、Ｘ軸方向およびＺ軸方向を含む平面を、「ＸＺ面」ともいう。また、以下においては、Ｙ軸方向およびＺ軸方向を含む平面を、「ＹＺ面」ともいう。
【００２２】
図２は、本発明の実施の形態１に係るマルチ画面表示装置１０００の正面図である。図１および図２に示すように、マルチ画面表示装置１０００は、映像表示装置１００ｍ，１００ｓを含む。映像表示装置１００ｍ，１００ｓの各々の外形は、同じである。
【００２３】
以下においては、映像表示装置１００ｍ，１００ｓの各々を、「映像表示装置Ｄｐ」ともいう。マルチ画面表示装置１０００は、２台の映像表示装置Ｄｐから構成される。なお、マルチ画面表示装置１０００を構成する映像表示装置Ｄｐの数は、２に限定されず、３以上であってもよい。
【００２４】
マルチ画面表示装置１０００は、２台の映像表示装置Ｄｐが、一例として、図２のように、１行２列の行列状に配置されることにより構成される。
【００２５】
映像表示装置Ｄｐは、投写型映像表示装置である。投写型映像表示装置は、画面（スクリーン）の背面から当該画面に、映像を示す映像光を投射する装置である。なお、映像表示装置Ｄｐは、投写型映像表示装置に限定されず、例えば、液晶ディスプレイ（ＬＣＤ（Liquid Crystal Display））であってもよい。
【００２６】
各映像表示装置Ｄｐの外形は、直方体である。各映像表示装置Ｄｐは、図２のように、ＸＹ面において行列状に配置される。なお、各映像表示装置Ｄｐの形状は、当該各映像表示装置Ｄｐを行列状に配置可能な形状であれば、直方体以外の形状であってもよい。
【００２７】
各映像表示装置Ｄｐには、後述の映像信号Ｖｓｇが供給される。
【００２８】
各映像表示装置Ｄｐは、互いに通信可能なように構成される。具体的には、各映像表示装置Ｄｐは、通信ケーブル１６により接続される。通信ケーブル１６は、例えば、ＲＳ２３２Ｃの通信規格に準拠したケーブルである。各映像表示装置Ｄｐは、通信ケーブル１６を利用して、互いに通信する。なお、図１は、映像表示装置１００ｍと映像表示装置１００ｍｓとが、通信ケーブル１６により接続された構成を示す。
【００２９】
また、マルチ画面表示装置１０００は、図３のマルチ画面１０Ａを含む。図３に示すように、映像表示装置１００ｍ，１００ｓは、それぞれ、画面１０ｍ，１０ｓを有する。マルチ画面１０Ａは、画面１０ｍ，１０ｓが行列状に配置されて構成される１つの画面である。マルチ画面１０Ａの形状は、矩形である。
【００３０】
以下においては、画面１０ｍ，１０ｓの各々を、「画面１０」ともいう。すなわち、マルチ画面１０Ａは、複数の映像表示装置Ｄｐがそれぞれ有する複数の画面１０から構成される。画面１０は、映像を表示するための面である。画面１０は、例えば、スクリーンである。なお、画面１０は、透明のガラスであってもよい。なお、マルチ画面１０Ａを構成する画面１０の数は、２に限定されず、３以上であってもよい。
【００３１】
各映像表示装置Ｄｐの画面１０は、一例として、当該映像表示装置Ｄｐの前面全体に配置される。そのため、図３のマルチ画面１０ＡのＸＹ面の形状は、図２のマルチ画面表示装置１０００のＸＹ面の形状と同じである。
【００３２】
以下においては、映像表示装置１００ｍを、「マスター装置」ともいう。また、以下においては、映像表示装置１００ｓを、「スレーブ装置」ともいう。マルチ画面表示装置１０００は、１台のマスター装置と、１台以上のスレーブ装置とを含む。
【００３３】
次に、映像表示装置１００ｍ，１００ｓの構成について説明する。図１を参照して、映像表示装置１００ｍは、画面１０と、光源装置３０と、ダイクロイックミラー４と、リレーレンズ５と、ＴＩＲ（Total Internal Reflection）プリズム６と、画像表示デバイス７と、制御部１１と、メモリ１２と、光源制御部１４と、表示特性算出部１５と、投写レンズ８と、検出部ＳＮ１と、算出部１３とを備える。
【００３４】
なお、映像表示装置１００ｓは、映像表示装置１００ｍと比較して、算出部１３を備えない点のみが異なる。映像表示装置１００ｓのそれ以外の構成は、映像表示装置１００ｍと同様なので詳細な説明は繰り返さない。
【００３５】
制御部１１は、各種の制御、各種の処理等を行う機能を有する。制御部１１は、例えば、画像表示デバイス７を制御する。また、制御部１１には、映像信号Ｖｓｇが供給される。制御部１１は、画像表示デバイス７へ映像信号Ｖｓｇを供給する。また、制御部１１は、通信を行う機能を有する。映像表示装置１００ｍの制御部１１と、映像表示装置１００ｓの制御部１１とは、通信ケーブル１６により接続される。
【００３６】
メモリ１２は、情報、データ等を記憶する機能を有する。
【００３７】
光源装置３０は、光を出射する装置である。光源装置３０は、光源３ｒ，３ｇ，３ｂを含む。光源３ｒは、赤色光を出射する。光源３ｇは、緑色光を出射する。光源３ｇは、青色光を出射する。光源３ｒ，３ｇ，３ｂは、赤色光、緑色光および青色光を、順次、出射する。すなわち、光源装置３０は、赤色光、緑色光および青色光を、順次、出射する。
【００３８】
以下においては、光源３ｒ，３ｇ，３ｂの各々を、総括的に、「光源３」ともいう。また、以下においては、赤色光、緑色光および青色光の各々を、単に、「色光」ともいう。光源３は、例えば、ＬＥＤである。光源３は、当該光源３に電流が供給されることにより色光を出射する。光源３は、光（色光）を出射することによって駆動する。また、以下においては、光源３が出射する光（色光）を、「出射光」ともいう。光源３は、出射光の輝度を変化させる機能を有する。
【００３９】
光源制御部１４は、各光源３を制御する。具体的には、光源制御部１４は、各光源３へ電流を供給する。また、光源制御部１４は、出射光の輝度が変化するように光源３を制御する機能を有する。具体的には、光源制御部１４が、光源３へ供給する電流の量を変化させることにより、光源３の出射光の輝度を変化させる。
【００４０】
なお、光源３は、ＬＥＤに限定されず、他の光源であってもよい。光源３は、例えば、レーザーであってもよい。
【００４１】
以下においては、光源３が駆動した時間の累積を、「累積駆動時間」ともいう。以下においては、光源３の特性に変化を生じさせるための時間を、「基準時間ｉ」または「ｉ」ともいう。基準時間ｉは、光源３の特性に低下をもたらすための時間である。基準時間ｉは、例えば、２００００時間である。
【００４２】
以下においては、光源３が出射する出射光の輝度の最大値を、「最大輝度値ＹＭｘ」ともいう。具体的には、最大輝度値ＹＭｘは、光源３が出射可能な、最大の輝度を有する出射光の当該輝度の値である。以下においては、未使用の光源３が初めて駆動した場合における、当該光源３の出射光の輝度の最大輝度値ＹＭｘを、「初期最大輝度値」ともいう。
【００４３】
なお、光源３は、累積駆動時間が以下の初期時間より大きい状態において、当該累積駆動時間が長くなる程、当該光源３の出射光の最大輝度値ＹＭｘが低下する特性を有する。
【００４４】
初期時間とは、累積駆動時間が当該初期時間である場合において、初期最大輝度値が維持される時間である。初期時間は、例えば、０以上であって、かつ、基準時間ｉの１／ｈ（ｈは２以上の整数）倍の時間以下の時間である。初期時間は、例えば、０から１０時間の範囲の時間である。
【００４５】
以下においては、マルチ画面表示装置１０００を構成する各映像表示装置Ｄｐに含まれる各光源３の累積駆動時間が、初期時間である状況を、「状況Ｓｔｎ」ともいう。
【００４６】
また、以下においては、マルチ画面表示装置１０００を構成する各映像表示装置Ｄｐに含まれる各光源３の累積駆動時間が、基準時間ｉ以上の時間となった状況を、「状況Ｓｔｉ」ともいう。
【００４７】
各映像表示装置Ｄｐは、動作モードとして、通常モードと、輝度低減モードとを有する。通常モードは、出射光の輝度の値が、最大輝度値ＹＭｘに設定されるモードである。以下においては、最大輝度値ＹＭｘのｖ倍の値を、「抑制値」ともいう。当該ｖは０＜ｖ＜１を満たす実数である。ｖは、例えば、０．７である。
【００４８】
輝度低減モードは、出射光の輝度の値が、抑制値に設定されるモードである。輝度低減モードの映像表示装置Ｄｐに含まれる、状況Ｓｔｉにおける光源３は、通常モードの映像表示装置Ｄｐに含まれる、状況Ｓｔｉにおける光源３よりも、最大輝度値ＹＭｘの低下の度合いは小さい。
【００４９】
輝度低減モードの映像表示装置Ｄｐの光源３には、光源制御部１４により、例えば、通常モードの映像表示装置Ｄｐの光源３に供給される電流の量のｖ倍の量の電流が供給される。
【００５０】
ダイクロイックミラー４は、出射光である赤色光、緑色光および青色光を選択的に透過するように構成される。また、ダイクロイックミラー４は、出射光である赤色光、緑色光および青色光を選択的に反射させるように構成される。ダイクロイックミラー４に、赤色光、緑色光および青色光が、順次照射されることにより、当該ダイクロイックミラー４は、赤色光、緑色光および青色光を１つの光路に合成する。
【００５１】
赤色光、緑色光および青色光は、順次、リレーレンズ５を透過する。リレーレンズ５を透過した赤色光、緑色光および青色光は、順次、ＴＩＲプリズム６に照射される。
【００５２】
ＴＩＲプリズム６の内部には、全反射面が設けられる。ＴＩＲプリズム６の全反射面に照射された赤色光、緑色光および青色光は、順次、画像表示デバイス７に照射される。
【００５３】
検出部ＳＮ１は、詳細は後述するが、光を検出する機能を有するセンサーである。
【００５４】
以下においては、赤で表現される映像を、「映像Ｉｒ」ともいう。また、以下においては、緑で表現される映像を、「映像Ｉｇ」ともいう。また、以下においては、青で表現される映像を、「映像Ｉｂ」ともいう。また、以下においては、時間軸において、映像Ｉｒ、映像Ｉｇおよび映像Ｉｂが合成されて表現される映像を、「映像Ｉｃ」ともいう。
【００５５】
映像Ｉｃは、映像Ｉｒ、映像Ｉｇ、映像Ｉｂで表現される１枚のフレームである。フレームは、ｋ（２以上の整数）個の画素で構成される。本実施の形態では、一例として、当該画素の画素値は、例えば、０から２５５の範囲で表現される。以下においては、映像Ｉｒ、映像Ｉｇ、映像Ｉｂの各々を、「単色映像」ともいう。
【００５６】
なお、画像表示デバイス７には、制御部１１から映像信号Ｖｓｇが供給される。当該映像信号Ｖｓｇは、複数のフレーム（静止画像）の各々を構成する各単色映像を表現するための映像データを示す。以下においては、映像データにより表現される映像を、「元映像」ともいう。すなわち、映像信号Ｖｓｇは、元映像を示す。元映像は、例えば、単色映像である。
【００５７】
当該映像データは、ｋ個の画素データから構成される。以下においては、画素データを、「画素データ（Ｐｒ，Ｐｇ，Ｐｂ）」と表現する。Ｐｒ，Ｐｇ，Ｐｂの各々は、画素の色の強度を示す強度値である。Ｐｒ，Ｐｇ，Ｐｂの各々は、２５６種類の画素値を表現するために、０から１の範囲の実数で表現される。
【００５８】
Ｐｒは、赤を表現するため強度値である。Ｐｇは、緑を表現するため強度値である。Ｐｂは、青を表現するため強度値である。例えば、画素データ（１，０，０）は、画素値が２５５である、赤の画素を表現する値である。
【００５９】
以下においては、映像Ｉｒを示す、赤の映像光を、「映像光Ｌｒ」ともいう。また、以下においては、映像Ｉｇを示す、緑の映像光を、「映像光Ｌｇ」ともいう。また、以下においては、映像Ｉｂを示す、青の映像光を、「映像光Ｌｂ」ともいう。また、以下においては、映像光Ｌｒ，Ｌｇ，Ｌｂの各々を、「単色映像光」ともいう。
【００６０】
以下においては、ある１枚のフレームが処理対象とされる期間を、「期間Ｔｆｒ」または「１フレーム期間Ｔｆｒ」ともいう。例えば、映像表示装置Ｄｐが、１秒間にわたって、６０枚のフレームを画面１０に表示するように構成されている場合、期間Ｔｆｒは、１／６０秒である。
【００６１】
図４は、期間Ｔｆｒを説明するための図である。図４を参照して、期間Ｔｆｒは、期間Ｔｒ，Ｔｇ，Ｔｂ，Ｔｎから構成される。期間Ｔｒ，Ｔｇ，Ｔｂの各々の長さは同じである。期間Ｔｒ，Ｔｇ，Ｔｂの各々は、例えば、期間Ｔｆｒの約０．３倍の期間である。
【００６２】
期間Ｔｒは、映像Ｉｒを画面１０に表示するための期間である。期間Ｔｒａは、映像光Ｌｒが画面１０に照射されている期間である。期間Ｔｒｎについては後述する。
【００６３】
期間Ｔｇは、映像Ｉｇを画面１０に表示するための期間である。期間Ｔｇａは、映像光Ｌｇが画面１０に照射されている期間である。期間Ｔｇｎについては後述する。
【００６４】
期間Ｔｂは、映像Ｉｂを画面１０に表示するための期間である。期間Ｔｂａは、映像光Ｌｂが画面１０に照射されている期間である。期間Ｔｂｎについては後述する。
【００６５】
期間Ｔｎは、例えば、期間Ｔｆｒの約０．１倍の期間である。期間Ｔｎは、光源３ｒ，３ｇ，３ｂの各々が、色光を出射しない期間である。
【００６６】
なお、期間Ｔｎは、期間Ｔｆｒの約０．０３倍の期間とする構成としてもよい。当該構成では、期間Ｔｎは、さらに、期間Ｔｒ，Ｔｇの間と、期間Ｔｇ，Ｔｂの間とに設けられる。
【００６７】
再び、図１を参照して、画像表示デバイス７は、単色映像光を生成する。具体的には、画像表示デバイス７は、制御部１１の制御に従って、ダイクロイックミラー４から照射された色光（赤色光、緑色光または青色光）と、映像信号Ｖｓｇとに基づいて、単色映像光を生成する。言い換えれば、画像表示デバイス７は、映像信号Ｖｓｇが示す元映像（映像データ）に基づいて、色光を変調することにより単色映像光を生成する。画像表示デバイス７は、例えば、ＤＭＤである。
【００６８】
画像表示デバイス７は、ｋ個のマイクロミラーを有する。ｋ個のマイクロミラーは、行列状に配置される。画像表示デバイス７は、映像信号Ｖｓｇが示す映像データに基づいて、ｋ個のマイクロミラーの傾きを制御する。ＴＩＲプリズム６からの色光は、画像表示デバイス７の各マイクロミラーに照射される。各マイクロミラーは、色光を反射させる。
【００６９】
以下においては、マイクロミラーに反射することにより画面１０に向かって伝搬する光を「オン光」ともいう。また、以下においては、マイクロミラーに反射することにより画面１０へ伝搬しない光を「オフ光」ともいう。本実施の形態では、検出部ＳＮ１は、オフ光の光路に配置される。そのため、オフ光は、検出部ＳＮ１に向かって伝搬する光である。
【００７０】
画像表示デバイス７により、各マイクロミラーの状態は、オン状態およびオフ状態のいずれかに制御される。オン状態は、マイクロミラーに照射される色光がオン光となるように、当該マイクロミラーの傾きが設定された状態である。オフ状態は、マイクロミラーに照射される色光がオフ光となるように、当該マイクロミラーの傾きが設定された状態である。
【００７１】
以下においては、フレーム（静止画像）を構成する複数の画素のうち、１つの画素を表現する光を、「画素光」ともいう。１つのマイクロミラーに照射される色光は、画素光である。単色映像光は、ｋ個の画素光で構成される。
【００７２】
以下においては、画素光がオン光である期間を、「画素オン期間」ともいう。また、以下においては、画素光がオフ光である期間を、「画素オフ期間」ともいう。また、以下においては、図４の期間Ｔｒ，Ｔｇ，Ｔｂの各々を、「光照射対象期間」ともいう。また、以下においては、期間Ｔｒａ，Ｔｇａ，Ｔｂａの各々を、「映像表示期間」ともいう。映像表示期間は、光照射対象期間の一部である。
【００７３】
光照射対象期間にわたって、画像表示デバイス７には、出射光（色光）が照射される。以下においては、光照射対象期間にわたって画像表示デバイス７に照射される出射光（色光）を、「出射光Ｌｚ」ともいう。
【００７４】
また、光照射対象期間の一部である映像表示期間にわたって、画像表示デバイス７には、単色映像光を生成するための出射光（色光）が照射される。例えば、期間Ｔｒａにわたって、画像表示デバイス７には、映像光Ｌｒを生成するための赤色光が照射される。以下においては、光照射対象期間の一部である映像表示期間にわたって画像表示デバイス７に照射される出射光（色光）を、「出射光Ｌｚｉ」ともいう。出射光Ｌｚｉは、出射光Ｌｚの一部である。
【００７５】
以下においては、映像Ｉｒを表現するための映像データを、「映像データＩｒｖ」ともいう。以下においては、映像Ｉｇを表現するための映像データを、「映像データＩｇｖ」ともいう。以下においては、映像Ｉｂを表現するための映像データを、「映像データＩｂｖ」ともいう。
【００７６】
また、画像表示デバイス７には、映像表示期間において、当該画像表示デバイス７が単色映像光を生成するための映像データを示す映像信号Ｖｓｇが供給される。例えば、画像表示デバイス７には、期間Ｔｒａにおいて映像光Ｌｒを生成するための映像データＩｒｖを示す映像信号Ｖｓｇが供給される。
【００７７】
画像表示デバイス７は、例えば、期間Ｔｒａにおいて映像光Ｌｒを生成するための映像データＩｒｖを示す映像信号Ｖｓｇに基づいて、期間Ｔｒａにわたって当該画像表示デバイス７に照射される赤色光を変調することにより、映像光Ｌｒを生成する。
【００７８】
また、以下においては、映像表示期間を示す時間を、「映像表示時間」ともいう。また、以下においては、画素オン期間を示す時間を、「画素オン時間」ともいう。
【００７９】
映像表示期間は、画素オン期間と画素オフ期間とから構成される。画素オン期間は、０から映像表示時間の範囲で設定される。画素オフ期間は、映像表示時間から画素オン時間を減算した時間である。以下においては、映像表示期間における、画素オン期間と画素オフ期間との比率を、「光量制御比率」ともいう。
【００８０】
画像表示デバイス７は、ｋ個の画素データに基づいて、ｋ個のマイクロミラーにそれぞれ対応するｋ個の画素光の各々に対して、以下の輝度制御処理を行うことにより、単色映像光を生成する。
【００８１】
当該輝度制御処理は、画素光が照射される１つのマイクロミラーを制御して、光量制御比率を変化させる処理である。画像表示デバイス７が、光量制御比率の大きさを、例えば、２５６種類の大きさのいずれかに設定する場合、画素光の輝度の大きさは、２５６種類の大きさのいずれかに設定される。
【００８２】
画像表示デバイス７が生成した単色映像光は、投写レンズ８を介して、画面１０に照射される。
【００８３】
画像表示デバイス７は、色光である赤色光、緑色光および青色光に対し、順次、上記の処理を行うことにより、単色映像光である映像光Ｌｒ、映像光Ｌｇおよび映像光Ｌｂを、順次、生成する。図４の期間Ｔｆｒにおいて、映像光Ｌｒ、映像光Ｌｇおよび映像光Ｌｂは、順次、投写レンズ８を介して、画面１０へ照射される。
【００８４】
これにより、画面１０に、単色映像光が示す映像が表示される。すなわち、映像表示装置Ｄｐの画面１０に、映像信号Ｖｓｇが示す元映像（映像データ）に基づいて、出射光Ｌｚの一部である出射光Ｌｚｉが変調された映像光（単色映像光）が照射されることにより、当該画面１０に映像が表示される。
【００８５】
また、単色映像光は、出射光Ｌｚｉ（色光）を使用して生成される。すなわち、出射光Ｌｚの一部である出射光Ｌｚｉは、映像表示装置Ｄｐの画面１０に映像を表示するために使用される。
【００８６】
また、映像光Ｌｒは、期間Ｔｒａに、画面１０に照射される。映像光Ｌｇは、期間Ｔｇａに、画面１０に照射される。映像光Ｌｂは、期間Ｔｂａに、画面１０に照射される。これにより、画面１０には、映像Ｉｒ、映像Ｉｇおよび映像Ｉｂで表現される映像Ｉｃが表示される。
【００８７】
以下においては、赤のベタ画像を示すオフ光を、「オフ光Ｌｎｒ」ともいう。また、以下においては、緑のベタ画像を示すオフ光を、「オフ光Ｌｎｇ」ともいう。また、以下においては、青のベタ画像を示すオフ光を、「オフ光Ｌｎｂ」ともいう。
【００８８】
オフ光Ｌｎｒは、例えば、画像表示デバイス７が、ｋ個のマイクロミラーに赤色光が照射される際に、当該ｋ個のマイクロミラーの状態をオフ状態に設定することにより生成される。オフ光Ｌｎｒは、図４の期間Ｔｒｎに生成される。そのため、オフ光Ｌｎｒは、期間Ｔｒｎに、検出部ＳＮ１に照射される。すなわち、画像表示デバイス７は、期間Ｔｒにおいて、赤色光を利用して、映像光Ｌｒおよびオフ光Ｌｎｒを、順次生成する。
【００８９】
オフ光Ｌｎｇ，Ｌｎｂも、オフ光Ｌｎｒの上記の生成方法と同様な生成方法により生成される。オフ光Ｌｎｇは、期間Ｔｇｎに、検出部ＳＮ１に照射される。オフ光Ｌｎｂは、期間Ｔｂｎに、検出部ＳＮ１に照射される。
【００９０】
期間Ｔｒｎ，Ｔｇｎ，Ｔｂｎの各々の長さは同じである。以下においては、期間Ｔｒｎ，Ｔｇｎ，Ｔｂｎの各々を、「オフ光検出期間」ともいう。オフ光検出期間は、例えば、映像表示期間の約１／３０倍に設定される。例えば、オフ光検出期間である期間Ｔｒｎは、映像表示期間である期間Ｔｒａの約１／３０倍に設定される。
【００９１】
以下においては、オフ光Ｌｎｒ，Ｌｎｇ，Ｌｎｂの各々を、「オフ光Ｌｎ」ともいう。オフ光Ｌｎは、光照射対象期間の一部であるオフ光検出期間にわたって、画像表示デバイス７に照射される光である。すなわち、オフ光Ｌｎは、出射光Ｌｚの一部（出射光Ｌｚｉ）とは異なる、当該出射光Ｌｚの別の一部である。
【００９２】
検出部ＳＮ１は、光の三刺激値ＸＹＺ（輝度および色度）を検出する機能を有する。以下においては、三刺激値ＸＹＺを、単に、「三刺激値」ともいう。三刺激値とは、色を表現するための３つの値である。三刺激値は、色を示す一般的な値であるので詳細な説明は省略する。なお、オフ光Ｌｎの輝度および色度は、三刺激値を使用した一般的な演算により特定される。
【００９３】
検出部ＳＮ１は、当該検出部ＳＮ１にオフ光Ｌｎ（色光）が照射される毎に、当該オフ光Ｌｎの三刺激値を検出する。そのため、当該三刺激値が変化した場合、オフ光Ｌｎの輝度および色度の両方または一方が変化したことが分かる。
【００９４】
画像表示デバイス７および検出部ＳＮ１は上記のように動作する。そのため、画面１０に、複数の単色映像光が、順次、照射されている場合においても、検出部ＳＮ１は、外光などの周囲環境にほとんど影響されることなく、オフ光Ｌｎの三刺激値を検出する。具体的には、検出部ＳＮ１は、各オフ光Ｌｎについて、当該オフ光Ｌｎの三刺激値を検出する。
【００９５】
以下においては、オフ光Ｌｎｒの三刺激値を、「三刺激値ＤＳＴｒ」ともいう。また、以下においては、オフ光Ｌｎｇの三刺激値を、「三刺激値ＤＳＴｇ」ともいう。また、以下においては、オフ光Ｌｎｂの三刺激値を、「三刺激値ＤＳＴｂ」ともいう。また、以下においては、三刺激値ＤＳＴｒ，ＤＳＴｇ，ＤＳＴｂの各々を、単に、「三刺激値ＤＳＴ」ともいう。
【００９６】
検出部ＳＮ１は、当該検出部ＳＮ１にオフ光Ｌｎ（色光）が照射される毎に、オフ光Ｌｎの三刺激値ＤＳＴを、表示特性算出部１５へ送信する。
【００９７】
以下においては、状況Ｓｔｎにおける映像表示装置１００ｍ（マスター装置）において処理される三刺激値ＤＳＴを、「三刺激値ＤＳＴｍ」ともいう。また、以下においては、状況Ｓｔｎにおける映像表示装置１００ｓ（スレーブ装置）において処理される三刺激値ＤＳＴを、「三刺激値ＤＳＴｓ」ともいう。
【００９８】
算出部１３は、詳細は後述するが、後述の目標データＣｔを算出する機能を有する。
【００９９】
表示特性算出部１５は、検出部ＳＮ１からの三刺激値ＤＳＴに基づいて、後述の処理を行う。
【０１００】
以下においては、オフ光Ｌｎｒが、仮に、図４の期間Ｔｒａにわたって画面１０に照射される状況を、「状況ＳｔＬｒａ」ともいう。状況ＳｔＬｒａは、赤のベタ画像が、仮に、期間Ｔｒａにわたって画面１０に表示される状況である。また、以下においては、状況ＳｔＬｒａにおける画面１０の三刺激値を、「三刺激値ＳＣＲｒ」ともいう。オフ光検出期間が、例えば、映像表示期間の約１／３０倍である場合、三刺激値ＳＣＲｒにより特定される、画面１０の輝度は、オフ光Ｌｎｒの輝度の３０倍である。
【０１０１】
以下においては、オフ光Ｌｎｇが、仮に、図４の期間Ｔｇａにわたって画面１０に照射される状況を、「状況ＳｔＬｇａ」ともいう。また、以下においては、状況ＳｔＬｇａにおける画面１０の三刺激値を、「三刺激値ＳＣＲｇ」ともいう。
【０１０２】
以下においては、オフ光Ｌｎｂが、仮に、図４の期間Ｔｂａにわたって画面１０に照射される状況を、「状況ＳｔＬｂａ」ともいう。また、以下においては、状況ＳｔＬｂａにおける画面１０の三刺激値を、「三刺激値ＳＣＲｂ」ともいう。
【０１０３】
なお、本実施の形態では、事前に、前述の状況Ｓｔｎにおいて、状況ＳｔＬｒａを発生させた状態で、状況Ｓｔｎにおける三刺激値ＳＣＲｒを、色測定器により測定しておく。色測定器は、例えば、カラーアナライザである。そして、状況Ｓｔｎにおける三刺激値ＤＳＴｒから、状況Ｓｔｎにおける三刺激値ＳＣＲｒを算出するための係数Ｈｒを事前に特定しておく。係数Ｈｒは、例えば、三刺激値ＤＳＴｒに当該係数Ｈｒを乗算することにより、三刺激値ＳＣＲｒを算出するための当該係数Ｈｒである。
【０１０４】
また、本実施の形態では、事前に、状況Ｓｔｎにおいて、状況ＳｔＬｒｇを発生させた状態で、状況Ｓｔｎにおける三刺激値ＳＣＲｇを、色測定器により測定しておく。そして、係数Ｈｒと同様に、状況Ｓｔｎにおける三刺激値ＤＳＴｇに係数Ｈｇを乗算することにより、状況Ｓｔｎにおける三刺激値ＳＣＲｇを算出するための当該係数Ｈｇを事前に特定しておく。
【０１０５】
また、本実施の形態では、事前に、状況Ｓｔｎにおいて、状況ＳｔＬｒｂを発生させた状態で、状況Ｓｔｎにおける三刺激値ＳＣＲｂを、色測定器により測定しておく。そして、係数Ｈｒと同様に、状況Ｓｔｎにおける三刺激値ＤＳＴｂに係数Ｈｂを乗算することにより、状況Ｓｔｎにおける三刺激値ＳＣＲｂを算出するための当該係数Ｈｂを事前に特定しておく。
【０１０６】
また、係数Ｈｒ，Ｈｇ，Ｈｂは、表示特性算出部１５に予め記憶させておく。
【０１０７】
以上の処理は、事前に、各映像表示装置Ｄｐを対象として行われる。そのため、各映像表示装置Ｄｐの表示特性算出部１５は、事前に、当該映像表示装置Ｄｐの光源３の特性に対応する係数Ｈｒ，Ｈｇ，Ｈｂを記憶している。
【０１０８】
以下においては、赤または赤色を、「Ｒ」ともいう。また、以下においては、緑または緑色を、「Ｇ」ともいう。また、以下においては、青または青色を、「Ｂ」ともいう。また、以下においては、白または白色を、「Ｗ」ともいう。
【０１０９】
以下においては、三刺激値ＳＣＲｒ，ＳＣＲｇ，ＳＣＲｂを示すデータを、「三刺激値データＳＣＲ」ともいう。すなわち、三刺激値データＳＣＲは、Ｒ，Ｇ，Ｂの各々に対応する三刺激値を示す。そのため、三刺激値データＳＣＲは、９つの要素を示す、３行３列の行列で表現される。
【０１１０】
以下においては、状況Ｓｔｎにおける映像表示装置１００ｍ（マスター装置）において処理される三刺激値データＳＣＲを、「三刺激値データＳＣＲｍ」ともいう。また、以下においては、状況Ｓｔｎにおける映像表示装置１００ｓ（スレーブ装置）において処理される三刺激値データＳＣＲを、「三刺激値データＳＣＲｓ」ともいう。
【０１１１】
三刺激値データＳＣＲｍは、以下の式（１）のように表現される。
【０１１２】
【数１】
2017072625.tif 000003
【０１１３】
式（１）のＸｒｍ，Ｙｒｍ，Ｚｒｍ，Ｘｇｍ，Ｙｇｍ，Ｚｇｍ，Ｘｂｍ，Ｙｂｍ，Ｚｂｍは、状況Ｓｔｎにおける映像表示装置１００ｍが処理する三刺激値である。Ｘｒｍ，Ｙｒｍ，Ｚｒｍは、三刺激値ＳＣＲｒである。Ｘｇｍ，Ｙｇｍ，Ｚｇｍは、三刺激値ＳＣＲｇである。Ｘｂｍ，Ｙｂｍ，Ｚｂｍは、三刺激値ＳＣＲｂである。
【０１１４】
また、三刺激値データＳＣＲｓは、以下の式（２）のように表現される。
【０１１５】
【数２】
2017072625.tif 000004
【０１１６】
式（２）において、Ｘｒｓ，Ｙｒｓ，Ｚｒｓ，Ｘｇｓ，Ｙｇｓ，Ｚｇｓ，Ｘｂｓ，Ｙｂｓ，Ｚｂｓは、状況Ｓｔｎにおける映像表示装置１００ｓが処理する三刺激値である。Ｘｒｓ，Ｙｒｓ，Ｚｒｓは、三刺激値ＳＣＲｒである。Ｘｇｓ，Ｙｇｓ，Ｚｇｓは、三刺激値ＳＣＲｇである。Ｘｂｓ，Ｙｂｓ，Ｚｂｓは、三刺激値ＳＣＲｂである。
【０１１７】
（マルチ画面表示装置の動作）
次に、前述の状況Ｓｔｎにおいて、マルチ画面表示装置１０００が行う処理（以下、「映像補正処理Ｎ」について説明する。状況Ｓｔｎは、マルチ画面表示装置１０００を構成する各映像表示装置Ｄｐの光源３の累積駆動時間が、初期時間である状況である。状況Ｓｔｎは、例えば、新品のマルチ画面表示装置１０００が、ユーザーが所望する場所に設置されたという状況である。状況Ｓｔｎは、例えば、新品のマルチ画面表示装置１０００の使用が開始された初期の状況である。
【０１１８】
また、本実施の形態では、状況Ｓｔｎにおける映像表示装置１００ｍ，１００ｓの各々の動作モードは、輝度低減モードに設定される。そのため、映像表示装置１００ｍ，１００ｓの各々において、光源制御部１４は、状況Ｓｔｎにおいて、前述の抑制値を示す輝度を有する出射光を各光源３が出射するように、当該各光源３を制御する。当該抑制値は、状況Ｓｔｎにおける各光源３の最大輝度値ＹＭｘのｖ倍の値である。したがって、映像表示装置１００ｍ，１００ｓの各々が備える各光源３の出射光の輝度の値は、抑制値に設定される。
【０１１９】
また、本実施の形態では、色光である赤色光、緑色光および青色光の各々の輝度（強度）は、０から１の範囲の実数で表現される。例えば、赤色光の輝度の最大値は１である。また、単色映像光である映像光Ｌｒ，Ｌｇ，Ｌｂの各々の輝度（強度）は、０から１の範囲の実数で表現される。例えば、映像光Ｌｒの輝度の最大値は１である。
【０１２０】
図５は、本発明の実施の形態１に係る映像補正処理Ｎのフローチャートである。映像補正処理Ｎは、映像表示装置１００ｍ（マスター装置）が行う映像補正処理Ｎｍと、映像表示装置１００ｓ（スレーブ装置）が行う映像補正処理Ｎｓとを含む。
【０１２１】
ここで、以下の前提Ｐｒ１を考慮する。前提Ｐｒ１では、状況Ｓｔｎにおける映像表示装置１００ｍ，１００ｓの各々において、検出部ＳＮ１に、オフ光Ｌｎである前述のオフ光Ｌｎｒ，Ｌｎｇ，Ｌｎｂが、順次、照射される。また、前提Ｐｒ１では、各光源３の出射光の最大輝度値ＹＭｘは、値Ｖａである。当該値Ｖａは、０より大きい実数である。
【０１２２】
次に、前提Ｐｒ１における映像補正処理Ｎについて説明する。映像表示装置１００ｍが行う映像補正処理Ｎｍでは、まず、ステップＳ１１０ｍの処理が行われる。
【０１２３】
ステップＳ１１０ｍでは、ＤＳＴｍ取得処理が行われる。ＤＳＴｍ取得処理では、検出部ＳＮ１が、当該検出部ＳＮ１に照射されるオフ光Ｌｎｒ，Ｌｎｇ，Ｌｎｂにそれぞれ対応する三刺激値ＤＳＴｒ，ＤＳＴｇ，ＤＳＴｂを検出する。そして、検出部ＳＮ１は、三刺激値ＤＳＴｍである三刺激値ＤＳＴｒ，ＤＳＴｇ，ＤＳＴｂを、順次、表示特性算出部１５へ送信する。
【０１２４】
ステップＳ１２０ｍでは、ＳＣＲｍ算出処理が行われる。ＳＣＲｍ算出処理では、表示特性算出部１５が、三刺激値ＤＳＴｒ，ＤＳＴｇ，ＤＳＴｂと、前述の係数Ｈｒ，Ｈｇ，Ｈｂとに基づいて、三刺激値ＳＣＲｒ，ＳＣＲｇ，ＳＣＲｒｂを算出する。
【０１２５】
具体的には、表示特性算出部１５は、三刺激値ＤＳＴｒ，ＤＳＴｇ，ＤＳＴｂに、それぞれ、係数Ｈｒ，Ｈｇ，Ｈｂを乗算することにより、三刺激値ＳＣＲｒ，ＳＣＲｇ，ＳＣＲｒｂを算出する。そして、表示特性算出部１５は、三刺激値ＳＣＲｒ，ＳＣＲｇ，ＳＣＲｒｂを示す前述の三刺激値データＳＣＲｍを、制御部１１を介して、メモリ１２に記憶させる。
【０１２６】
映像表示装置１００ｓが行う映像補正処理Ｎｓでは、まず、ステップＳ１１０ｓの処理が行われる。
【０１２７】
ステップＳ１１０ｓでは、ＤＳＴｓ取得処理が行われる。ＤＳＴｓ取得処理では、検出部ＳＮ１が、当該検出部ＳＮ１に照射されるオフ光Ｌｎｒ，Ｌｎｇ，Ｌｎｂにそれぞれ対応する三刺激値ＤＳＴｒ，ＤＳＴｇ，ＤＳＴｂを検出する。そして、検出部ＳＮ１は、三刺激値ＤＳＴｓである三刺激値ＤＳＴｒ，ＤＳＴｇ，ＤＳＴｂを、順次、表示特性算出部１５へ送信する。
【０１２８】
ステップＳ１２０ｓでは、ＳＣＲｓ算出処理が行われる。ＳＣＲｓ算出処理では、表示特性算出部１５が、三刺激値ＤＳＴｒ，ＤＳＴｇ，ＤＳＴｂと、前述の係数Ｈｒ，Ｈｇ，Ｈｂとに基づいて、三刺激値ＳＣＲｒ，ＳＣＲｇ，ＳＣＲｒｂを算出する。
【０１２９】
具体的には、表示特性算出部１５は、三刺激値ＤＳＴｒ，ＤＳＴｇ，ＤＳＴｂに、それぞれ、係数Ｈｒ，Ｈｇ，Ｈｂを乗算することにより、三刺激値ＳＣＲｒ，ＳＣＲｇ，ＳＣＲｒｂを算出する。そして、表示特性算出部１５は、三刺激値ＳＣＲｒ，ＳＣＲｇ，ＳＣＲｒｂを示す前述の三刺激値データＳＣＲｓを、制御部１１を介して、メモリ１２に記憶させる。
【０１３０】
ステップＳ１２５ｓでは、ＳＣＲｓ送信処理が行われる。ＳＣＲｓ送信処理では、制御部１１が、三刺激値データＳＣＲｓを、通信ケーブル１６を介して、映像表示装置１００ｍへ送信する。これにより、映像表示装置１００ｍの制御部１１は、三刺激値データＳＣＲｓを受信し、当該三刺激値データＳＣＲｓを、メモリ１２に記憶させる。
【０１３１】
以下においては、目標となる輝度を「目標輝度」ともいう。また、以下においては、目標となる色度を「目標色度」ともいう。以下においては、目標輝度および目標色度を特定するためのデータを、「目標データＣｔ」ともいう。また、以下においては、目標となる三刺激値を、「目標三刺激値」ともいう。
【０１３２】
以下においては、状況Ｓｔｎにおいて、仮に、前述の状況ＳｔＬｒａを発生させた状態における画面１０の目標三刺激値を、「三刺激値Ｃｔｒ」ともいう。また、以下においては、状況Ｓｔｎにおいて、仮に、前述の状況ＳｔＬｇａを発生させた状態における画面１０の目標三刺激値を「三刺激値Ｃｔｇ」ともいう。また、以下においては、状況Ｓｔｎにおいて、仮に、前述の状況ＳｔＬｂａを発生させた状態における画面１０の目標三刺激値を、「三刺激値Ｃｔｂ」ともいう。
【０１３３】
目標データＣｔは、三刺激値Ｃｔｒ，Ｃｔｇ，Ｃｔｂを示すデータである。すなわち、目標データＣｔは、Ｒ，Ｇ，Ｂの各々に対応する三刺激値を示す。そのため、目標データＣｔは、９つの要素を示す、３行３列の行列で表現される。目標データＣｔは、以下の式（３）のように表現される。
【０１３４】
【数３】
2017072625.tif 000005
【０１３５】
式（３）のＸｔｒ，Ｙｔｒ，Ｚｔｒは、三刺激値Ｃｔｒである。Ｘｔｇ，Ｙｔｇ，Ｚｔｇは、三刺激値Ｃｔｇである。Ｘｔｂ，Ｙｔｂ，Ｚｔｂは、三刺激値Ｃｔｂである。
【０１３６】
以下においては、状況Ｓｔｎのもとで、マルチ画面表示装置１０００を構成する各映像表示装置Ｄｐが当該映像表示装置Ｄｐの画面１０において共通して表現可能な目標色度を、「目標色度ｃｔｎ」ともいう。
【０１３７】
前述のステップＳ１２５ｓの処理の後、映像補正処理Ｎｍでは、ステップＳ１３０ｍの処理が行われる。
【０１３８】
ステップＳ１３０ｍでは、Ｃｔ算出処理が行われる。Ｃｔ算出処理では、詳細は後述するが、映像表示装置１００ｍの算出部１３が、三刺激値データＳＣＲｍおよび三刺激値データＳＣＲｓに基づいて、式（３）の目標データＣｔを算出する。
【０１３９】
図６は、目標色度の算出方法を説明するための図である。図６は、ｕ’ｖ’色度図を示す。ｕ’ｖ’色度図は、ＣＩＥ  １９７６  ＵＣＳ色度図である。以下においては、ｕ’ｖ’色度図における座標を、「色度座標」または「ｕ’ｖ’座標」ともいう。
【０１４０】
図６のｕ’ｖ’色度図には、一例として、三角形ＴＲｍ，ＴＲｓと、共通領域三角形ＴＲｃｍとが示される。なお、三角形ＴＲｍ，ＴＲｓの形状および位置は、それぞれ、一例としての形状および位置である。
【０１４１】
三角形ＴＲｍは、映像表示装置１００ｍに含まれる各光源３の出射光により、画面１０において表現可能な色の範囲（色再現範囲）を示す。三角形ＴＲｍの３つの頂点は、色度ＣＰｒｍ、色度ＣＰｇｍおよび色度ＣＰｂｍである。
【０１４２】
三角形ＴＲｓは、映像表示装置１００ｓに含まれる各光源３の出射光により、画面１０において表現可能な色の範囲（色再現範囲）を示す。三角形ＴＲｓの３つの頂点は、色度ＣＰｒｓ、色度ＣＰｇｓおよび色度ＣＰｂｓである。
【０１４３】
以下においては、ｕ’ｖ’色度図において赤を示す領域を、「原色領域Ｒｒ」ともいう。また、以下においては、ｕ’ｖ’色度図において緑を示す領域を、「原色領域Ｒｇ」ともいう。また、以下においては、ｕ’ｖ’色度図において青を示す領域を、「原色領域Ｒｂ」ともいう。以下においては、原色領域Ｒｒ，Ｒｇ，Ｒｂの各々を、単に、「原色領域」ともいう。
【０１４４】
以下においては、三角形ＴＲｍ，ＴＲｓの各々を、「対象三角形ＴＲ」ともいう。対象三角形ＴＲは、３つの鋭角部（角部）を含む。以下においては、原色領域Ｒｒに鋭角部の頂点が存在する当該鋭角部を、「鋭角部ｒ」ともいう。例えば、三角形ＴＲｍの鋭角部ｒは、当該鋭角部ｒの頂点である色度座標ＣＰｒｍが存在する鋭角部である。
【０１４５】
また、以下においては、原色領域Ｒｇに鋭角部の頂点が存在する当該鋭角部を、「鋭角部ｇ」ともいう。また、以下においては、原色領域Ｒｂに鋭角部の頂点が存在する当該鋭角部を、「鋭角部ｂ」ともいう。
【０１４６】
共通領域三角形ＴＲｃｍは、三角形ＴＲｍおよび三角形ＴＲｓの各々に含まれる共通の領域を示す三角形である。共通領域三角形ＴＲｃｍの３つの頂点は、色度ＣＰｒｃｍ、色度ＣＰｇｃｍ（色度ＣＰｇｓ）および色度ＣＰｂｃｍである。なお、色度ＣＰｇｃｍは、色度ＣＰｇｓと同じである。共通領域三角形ＴＲｃｍは、各映像表示装置Ｄｐ（映像表示装置１００ｍ，１００ｓ）が当該映像表示装置Ｄｐの画面１０において共通して表現可能な色の範囲を示す。
【０１４７】
ここで、映像表示装置１００ｍに含まれる、状況Ｓｔｎにおける各光源３の出射光による色再現範囲は、一例として、図６の三角形ＴＲｍであると仮定する。また、映像表示装置１００ｍに含まれる状況Ｓｔｎにおける各光源３の出射光による色再現範囲は、一例として、図６の三角形ＴＲｓであると仮定する。また、状況Ｓｔｎのもとで、各映像表示装置Ｄｐ（映像表示装置１００ｍ，１００ｓ）が当該映像表示装置Ｄｐの画面１０において共通して表現可能な色の範囲は、一例として、図６の共通領域三角形ＴＲｃｍであると仮定する。
【０１４８】
この場合、Ｃｔ算出処理では、以下のようにして、目標データＣｔを算出する。まず、算出部１３が、三刺激値データＳＣＲｍの三刺激値ＳＣＲｒ，ＳＣＲｇ，ＳＣＲｒｂを利用して、色度ＣＰｒｍ，ＣＰｇｍ，ＣＰｂｍを算出する。
【０１４９】
例えば、色度ＣＰｒｍは、三刺激値ＳＣＲｒ（Ｘｒｍ，Ｙｒｍ，Ｚｒｍ）により算出される、ｕ’ｖ’色度図における色度である。なお、三刺激値から、ｕ’ｖ’色度図における色度を算出する方法は、一般的な方法であるので説明は省略する。色度ＣＰｒｍと同様に、ｕ’ｖ’色度図における色度ＣＰｇｍ，ＣＰｂｍは、それぞれ、三刺激値ＳＣＲｇ，ＳＣＲｒｂにより算出される。
【０１５０】
そして、算出部１３は、図６のｕ’ｖ’色度図に、色度ＣＰｒｍ，ＣＰｇｍ，ＣＰｂｍをプロットする。これにより、算出部１３は、三角形ＴＲｍを特定する。
【０１５１】
また、算出部１３は、三角形ＴＲｍの特定方法と同様に、三刺激値データＳＣＲｓの三刺激値ＳＣＲｒ，ＳＣＲｇ，ＳＣＲｒｂを利用して、ｕ’ｖ’色度図における色度ＣＰｒｓ，ＣＰｇｓ，ＣＰｂｓを算出する。そして、算出部１３は、図６のｕ’ｖ’色度図に、色度ＣＰｒｓ，ＣＰｇｓ，ＣＰｂｓをプロットする。これにより、算出部１３は、三角形ＴＲｓを特定する。
【０１５２】
次に、算出部１３は、以下の規則Ｒｕ１，Ｒｕ２に従い、ｕ’ｖ’色度図に示される三角形ＴＲｍおよび三角形ＴＲｓに基づいて、共通領域三角形ＴＲｃｍを特定する。
【０１５３】
規則Ｒｕ１は、原色領域において、各対象三角形ＴＲの鋭角部が交差状態である場合、当該交差状態で存在する交点の色度を特定するという規則である。当該交差状態とは、対象三角形ＴＲの鋭角部の２辺の両方または一方が、別の対象三角形ＴＲの鋭角部の２辺の両方または一方と交差している状態である。当該交差状態で存在する交点とは、当該交差状態における、対象三角形ＴＲの鋭角部の辺と、別の対象三角形ＴＲの鋭角部の辺との交点である。
【０１５４】
また、規則Ｒｕ１は、複数の交点が存在する場合、当該複数の交点のうち、白の色度に最も近い交点の色度を特定するという規則である。
【０１５５】
例えば、図６の原色領域Ｒｒでは、三角形ＴＲｍの鋭角部ｒの１辺は、三角形ＴＲｓの鋭角部ｒの１辺と交わる。そのため、算出部１３は、規則Ｒｕ１に従って、三角形ＴＲｍの鋭角部ｒの１辺と三角形ＴＲｓの鋭角部ｒの１辺との交点である色度ＣＰｒｃｍを特定する。色度ＣＰｂｃｍも、色度ＣＰｒｃｍと同様な方法により、特定される。
【０１５６】
規則Ｒｕ２は、原色領域において、対象三角形ＴＲの鋭角部の頂点が、別の対象三角形ＴＲの鋭角部に含まれる場合、各対象三角形ＴＲの鋭角部のうち、白の色度に最も近い鋭角部の頂点の色度を特定するという規則である。
【０１５７】
例えば、図６の原色領域Ｒｇでは、三角形ＴＲｓの鋭角部ｇの頂点（色度ＣＰｇｓ）は、三角形ＴＲｍの鋭角部ｇに含まれる。そのため、算出部１３は、規則Ｒｕ２に従って、三角形ＴＲｍの鋭角部ｇ、および、三角形ＴＲｓの鋭角部ｇのうち、白の色度に最も近い、三角形ＴＲｓの鋭角部ｇの頂点の色度（色度ＣＰｇｓ）を特定する。
【０１５８】
そして、算出部１３は、色度ＣＰｒｃｍ，ＣＰｇｓ（ＣＰｇｃｍ），ＣＰｂｃｍを、図６のｕ’ｖ’色度図にプロットする。これにより、算出部１３は、共通領域三角形ＴＲｃｍを特定する。
【０１５９】
特定された共通領域三角形ＴＲｃｍは、状況Ｓｔｎのもとで、各映像表示装置Ｄｐ（映像表示装置１００ｍ，１００ｓ）が当該映像表示装置Ｄｐの画面１０において共通して表現可能な色の範囲を示す。
【０１６０】
なお、共通領域三角形ＴＲｃｍの特定は、例えば、特許第４８２３６６０号公報に示される、共通領域三角形を求める方法と同様な方法により行われてもよい。この方法では、算出部１３は、三角形ＴＲｍの色度ＣＰｒｍ，ＣＰｇｍ，ＣＰｂｍと、三角形ＴＲｓの色度ＣＰｒｓ，ＣＰｇｓ，ＣＰｂｓとを使用して、色度ＣＰｒｃｍ，ＣＰｇｃｍ，ＣＰｂｃｍを算出する。
【０１６１】
次に、算出部１３は、三刺激値ＳＣＲｒの輝度、および、三刺激値データＳＣＲｓの輝度のうち、最も値が小さい輝度を、目標輝度として算出する。
【０１６２】
以下においては、状況Ｓｔｎにおける、Ｒの目標輝度を、「目標輝度Ｙｔｒ」または「Ｙｔｒ」ともいう。また、以下においては、状況Ｓｔｎにおける、Ｇの目標輝度を、「目標輝度Ｙｔｇ」または「Ｙｔｇ」ともいう。また、以下においては、状況Ｓｔｎにおける、Ｂの目標輝度を、「目標輝度Ｙｔｂ」または「Ｙｔｂ」ともいう。
【０１６３】
具体的には、算出部１３は、三刺激値ＳＣＲｒのＹｒｍ（輝度）、および、三刺激値データＳＣＲｓのＹｒｓ（輝度）うち、最も値が小さい輝度を、目標輝度Ｙｔｒとして算出する。例えば、ＹｒｍがＹｒｓより小さい場合、算出部１３は、当該Ｙｒｍを、目標輝度Ｙｔｒとして算出する。
【０１６４】
算出部１３は、目標輝度Ｙｔｒと同様な方法により、ＹｇｍおよびＹｇｓのいずれかを、目標輝度Ｙｔｇとして算出する。また、目標輝度Ｙｔｂは、目標輝度Ｙｔｒと同様な方法により、ＹｂｍおよびＹｂｓを使用して算出される。
【０１６５】
次に、算出部１３は、共通領域三角形ＴＲｃｍにおける、算出された各色度（色度ＣＰｒｃｍ，ＣＰｇｓ（ＣＰｇｃｍ），ＣＰｂｃｍ）と、算出された目標輝度Ｙｔｒ，Ｙｔｇ，Ｙｔｂとを用いて、三刺激値を算出する。なお、目標輝度Ｙｔｒ，Ｙｔｇ，Ｙｔｂの各々は、三刺激値における１つの刺激値である。
【０１６６】
具体的には、算出部１３は、目標輝度Ｙｔｒと、ｕ’ｖ’色度図における色度ＣＰｒｃｍの座標とから、三刺激値ＣｔｒのＸｔｒ，Ｚｔｒを算出する。目標輝度Ｙｔｒとｕ’ｖ’色度図における色度ＣＰｒｃｍの座標とを用いて、Ｘｔｒ，Ｚｔｒを算出する方法は、一般的な方法であるので説明は省略する。これにより、三刺激値Ｃｔｒ（Ｘｔｒ，Ｙｔｒ，Ｚｔｒ）が算出される。
【０１６７】
また、算出部１３は、三刺激値Ｃｔｒと同様な方法により、目標輝度Ｙｔｇと、色度ＣＰｇｓ（ＣＰｇｃｍ）を用いて、前述の三刺激値Ｃｔｇ（Ｘｔｇ，Ｙｔｇ，Ｚｔｇ）を算出する。また、算出部１３は、三刺激値Ｃｔｒと同様な方法により、目標輝度Ｙｔｂと、色度ＣＰｂｃｍを用いて、前述の三刺激値Ｃｔｂ（Ｘｔｂ，Ｙｔｂ，Ｚｔｂ）を算出する。
【０１６８】
そして、算出部１３は、三刺激値Ｃｔｒ，Ｃｔｇ，Ｃｔｂを示す、式（３）の目標データＣｔを算出する。以上により、目標データＣｔの算出は終了する。
【０１６９】
以下においては、状況Ｓｔｎのもとで、マルチ画面表示装置１０００を構成する各映像表示装置Ｄｐが当該映像表示装置Ｄｐの画面１０において共通して表現可能な目標輝度を、「目標輝度Ｙｔ」ともいう。算出された目標データＣｔの目標輝度Ｙｔｒ，Ｙｔｇ，Ｙｔｂの各々は、目標輝度Ｙｔである。すなわち、目標データＣｔは、目標輝度Ｙｔを特定するためのデータでもある。
【０１７０】
また、前述したように、状況Ｓｔｎのもとで、マルチ画面表示装置１０００を構成する各映像表示装置Ｄｐが当該映像表示装置Ｄｐの画面１０において共通して表現可能な目標色度を、「目標色度ｃｔｎ」ともいう。
【０１７１】
以下においては、状況Ｓｔｎにおける、Ｒの目標色度を、「目標色度ｃｔｒ」ともいう。また、以下においては、状況Ｓｔｎにおける、Ｇの目標色度を、「目標色度ｃｔｇ」ともいう。また、以下においては、状況Ｓｔｎにおける、Ｂの目標色度を、「目標色度ｃｔｂ」ともいう。目標色度ｃｔｒ，ｃｔｇ，ｃｔｂの各々は、目標色度ｃｔｎである。
【０１７２】
なお、目標データＣｔのＸｔｒ，Ｙｔｒ，Ｚｔｒを使用して、一般的な変換式により、ｕ’ｖ’色度図における目標色度ｃｔｒを求めることができる。また、目標データＣｔのＸｔｇ，Ｙｔｇ，Ｚｔｇにより、目標色度ｃｔｒと同様に、ｕ’ｖ’色度図における目標色度ｃｔｇを求めることができる。また、目標データＣｔのＸｔｂ，Ｙｔｂ，Ｚｔｂより、目標色度ｃｔｒと同様に、ｕ’ｖ’色度図における目標色度ｃｔｂを求めることができる。すなわち、目標データＣｔは、目標色度ｃｔｎを特定するためのデータでもある。
【０１７３】
なお、目標データＣｔは、状況Ｓｔｎにおける、各映像表示装置Ｄｐの各オフ光Ｌｎを使用して算出される。すなわち、算出部１３は、状況Ｓｔｎにおける、各映像表示装置Ｄｐの各オフ光Ｌｎに基づいて、目標データＣｔを算出する。
【０１７４】
ステップＳ１３０ｍの後、ステップＳ１３１ｍの処理が行われる。
【０１７５】
以下においては、状況ＳｔｎにおけるＷ（白）の目標三刺激値を、「目標三刺激値Ｃｔｗ（Ｘｔｗ，Ｙｔｗ，Ｚｔｗ）」または「目標三刺激値Ｃｔｗ」と表現する。
【０１７６】
ステップＳ１３１ｍでは、算出部１３が、目標データＣｔを利用して、目標三刺激値Ｃｔｗを算出する。目標三刺激値Ｃｔｗは、以下の式（４）に、目標データＣｔの各三刺激値を代入することにより算出される。
【０１７７】
【数４】
2017072625.tif 000006
【０１７８】
ステップＳ１４０ｍでは、Ｃｔ送信処理が行われる。Ｃｔ送信処理では、制御部１１が、算出された目標データＣｔを、通信ケーブル１６を介して、映像表示装置１００ｓへ送信する。これにより、映像表示装置１００ｓの制御部１１は、目標データＣｔを受信する。
【０１７９】
映像表示装置１００ｓでは、ステップＳ１４１ｓの処理が行われる。ステップＳ１４１ｓでは、Ｃｔ記憶処理が行われる。Ｃｔ記憶処理では、制御部１１が、受信した目標データＣｔを、メモリ１２に記憶させる。
【０１８０】
また、映像表示装置１００ｍでは、ステップＳ１４１ｍの処理が行われる。ステップＳ１４１ｍでは、Ｃｔ記憶処理が行われる。Ｃｔ記憶処理では、制御部１１が、目標データＣｔを、メモリ１２に記憶させる。
【０１８１】
ステップＳ１５０ｍでは、ＣＳＣｍ算出処理が行われる。ＣＳＣｍ算出処理では、詳細は後述するが、制御部１１が、状況Ｓｔｎに対応する目標データＣｔに基づいて、補正係数ＣＳＣｍを算出する。すなわち、制御部１１は、補正係数ＣＳＣｍを算出する算出部である。
【０１８２】
補正係数ＣＳＣｍは、係数ＲＲｍ，ＲＧｍ，ＲＢｍ，ＧＲｍ，ＧＧｍ，ＧＢｍ，ＢＲｍ，ＢＧｍ，ＢＢｍを、３行３列の行列で示す係数である。
【０１８３】
詳細は後述するが、補正係数ＣＳＣｍは、以下の式（５）を用いて算出される。
【０１８４】
【数５】
2017072625.tif 000007
【０１８５】
式（５）において、ＳＣＲｍは、式（１）の三刺激値データＳＣＲｍである。また、Ｃｔは、式（３）の目標データＣｔである。また、式（５）の「×」は、行列の積を示す。なお、以下の式に示される「×」も、行列の積を示す。式（５）の「−１」は、当該「−１」が対応付けられた行列を逆行列にするためのものである。以上により、式（５）は、以下の式（６）で表現される。
【０１８６】
【数６】
2017072625.tif 000008
【０１８７】
以下においては、色光と、映像信号Ｖｓｇが示す映像データとから生成される映像であって、かつ、画面１０に表示するための映像を、「表示対象映像」ともいう。また、以下においては、状況Ｓｔｎにおける表示対象映像を、「表示対象映像Ｉｍｎ」ともいう。表示対象映像Ｉｍｎは、状況Ｓｔｎのもとで各映像表示装置Ｄｐの画面１０に表示するための映像である。
【０１８８】
以下においては、補正係数ＣＳＣｍを、映像データが示す画素データに乗算することにより得られる、補正された画素データを、「補正画素データ」ともいう。また、以下においては、ｋ個の補正画素データを示す映像データを、「補正映像データ」ともいう。また、以下においては、補正映像データを示す映像信号Ｖｓｇを、「補正映像信号Ｖｓｇａ」ともいう。
【０１８９】
なお、状況Ｓｔｎにおいて、映像データに対応するｋ個の補正画素データを使用した処理が行われることにより、表示対象映像Ｉｍｎが得られる。
【０１９０】
補正係数ＣＳＣｍは、三刺激値ＳＣＲｒ，ＳＣＲｇ，ＳＣＲｂの各々の成分の強度を示す。補正係数ＣＳＣｍは、映像信号Ｖｓｇが示す各映像データが示す元映像の輝度および色度を補正するための係数である。
【０１９１】
また、補正係数ＣＳＣｍは、表示対象映像Ｉｍｎの輝度を、目標輝度Ｙｔと同じまたは同等にし、表示対象映像Ｉｍｎの色度を、目標色度ｃｔｎと同じまたは同等にするための係数である。すなわち、補正係数ＣＳＣｍは、表示対象映像Ｉｍｎの輝度と状況Ｓｔｎにおける目標輝度Ｙｔとの差の絶対値を最小にし、かつ、表示対象映像Ｉｍｎの色度と状況Ｓｔｎにおける目標色度ｃｔｎとの差の絶対値を最小にするための係数である。
【０１９２】
そのため、補正係数ＣＳＣｍは、ｋ個の補正画素データを使用して得られる表示対象映像Ｉｍｎの輝度および色度を、それぞれ、目標輝度Ｙｔおよび目標色度ｃｔｎとするための逆算により得られる。当該逆算を示す式が、前述の式（５）および式（６）である。
【０１９３】
式（６）において、ＲＲｍは、画面１０にオフ光Ｌｎｒが照射された状態における、当該オフ光Ｌｎｒ単体の輝度（強度）を示す。なお、以下においては、輝度を、強度とも表現する。ＲＧｍは、画面１０に照射されるオフ光Ｌｎｒに混ぜるオフ光Ｌｎｇの強度を示す。ＲＢｍは、画面１０に照射されるオフ光Ｌｎｒに混ぜるオフ光Ｌｎｂの強度を示す。
【０１９４】
ＧＲｍは、画面１０に照射されるオフ光Ｌｎｇに混ぜるオフ光Ｌｎｒの強度を示す。ＧＧｍは、画面１０にオフ光Ｌｎｇが照射された状態における、当該オフ光Ｌｎｇ単体の強度を示す。ＧＢｍは、画面１０に照射されるオフ光Ｌｎｇに混ぜるオフ光Ｌｎｂの強度を示す。
【０１９５】
ＢＲｍは、画面１０に照射されるオフ光Ｌｎｂに混ぜるオフ光Ｌｎｒの強度を示す。ＢＧｍは、画面１０に照射されるオフ光Ｌｎｂに混ぜるオフ光Ｌｎｇの強度を示す。ＢＢｍは、画面１０にオフ光Ｌｎｂが照射された状態における、当該オフ光Ｌｎｂ単体の強度を示す。
【０１９６】
なお、ＲＲｍ，ＲＧｍ，ＲＢｍ，ＧＲｍ，ＧＧｍ，ＧＢｍ，ＢＲｍ，ＢＧｍ，ＢＢｍの値は、以下の式（７）、式（８）および式（９）を満たすように設定される。
【０１９７】
【数７】
2017072625.tif 000009
【０１９８】
【数８】
2017072625.tif 000010
【０１９９】
【数９】
2017072625.tif 000011
【０２００】
仮に、式（７）から式（９）が満たされない場合、以下の不具合が発生する。当該不具合は、状況Ｓｔｎにおける映像表示装置１００ｍの三刺激値Ｃｔｒ，Ｃｔｇ，Ｃｔｂを単純に混色することにより得られる白が表示された状態において、当該白の三刺激値が、目標三刺激値Ｃｔｗ（Ｘｔｗ，Ｙｔｗ，Ｚｔｗ）とならないという不具合である。
【０２０１】
以上を考慮して、ステップＳ１５０ｍのＣＳＣｍ算出処理では、具体的には、制御部１１が、三刺激値データＳＣＲｍと、目標データＣｔとを式（５）に代入した式（６）を計算する。これにより、制御部１１は、補正係数ＣＳＣｍを算出する。そして、制御部１１は、補正係数ＣＳＣｍをメモリ１２に記憶させる。
【０２０２】
ステップＳ１６０ｍでは、補正処理ｍが行われる。補正処理ｍは、制御部１１が、補正係数ＣＳＣｍに基づいて、映像信号Ｖｓｇが示す映像データＩｒｖ，Ｉｇｖ，Ｉｂｖの各々が示す元映像の輝度および色度を補正することにより、表示対象映像Ｉｍｎの輝度および色度を補正するための処理である。
【０２０３】
具体的には、制御部１１が、映像データが示す元映像の輝度および色度を補正するための演算を行う。制御部１１は、映像データが示すｋ個の画素データ（Ｐｒ，Ｐｇ，Ｐｂ）に、順次、補正係数ＣＳＣｍを乗算する乗算処理を行う。
【０２０４】
当該乗算処理では、制御部１１が、１列３行の行列で表現された画素データ（Ｐｒ，Ｐｇ，Ｐｂ）に、補正係数ＣＳＣｍを乗算する。これにより、ｋ個の補正画素データを示す補正映像データが得られる。乗算処理は、映像データＩｒｖ，Ｉｇｖ，Ｉｂｖに対して、順次、行われる。
【０２０５】
以下においては、映像データＩｒｖから得られる補正映像データを、「補正映像データＩｒｖａ」ともいう。また、以下においては、映像データＩｇｖから得られる補正映像データを、「補正映像データＩｇｖａ」ともいう。また、以下においては、映像データＩｂｖから得られる補正映像データを、「補正映像データＩｂｖａ」ともいう。
【０２０６】
これにより、補正映像データＩｒｖａ，Ｉｇｖａ，Ｉｂｖａを示す補正映像信号Ｖｓｇａが得られる。
【０２０７】
そして、制御部１１は、補正映像信号Ｖｓｇａを、画像表示デバイス７へ送信する。
【０２０８】
画像表示デバイス７は、前述の処理と同様に、補正映像信号Ｖｓｇａに基づいて、色光を変調することにより、単色映像光を生成する。例えば、画像表示デバイス７は、補正映像データＩｒｖａに基づいて、赤色光を変調することにより、映像光Ｌｒを生成する。そして、当該映像光Ｌｒが、画面１０に照射されることにより、画面１０に、表示映像Ｉｍｎである映像Ｉｒが表示される。
【０２０９】
画像表示デバイス７は、補正映像データＩｇｖａ，Ｉｂｖａについても、映像データＩｒｖａを使用した処理と同様な処理を行う。これにより、画面１０に、映像Ｉｒ、映像Ｉｇ、映像Ｉｂが順に表示される。その結果、画面１０に、映像Ｉｃが表現される。当該映像Ｉｃは、状況Ｓｔｎにおける赤色光、緑色光および青色光を利用して生成される映像である。
【０２１０】
映像表示装置１００ｓは、ステップＳ１４１ｓの後、ステップＳ１５０ｓを行う。
【０２１１】
ステップＳ１５０ｓでは、ＣＳＣｓ算出処理が行われる。ＣＳＣｓ算出処理は、ＣＳＣｍ算出処理と同様な処理であるので詳細な説明は省略する。以下、簡単に説明する。
【０２１２】
ＣＳＣｓ算出処理では、制御部１１が、状況Ｓｔｎに対応する目標データＣｔに基づいて、補正係数ＣＳＣｓを算出する。すなわち、制御部１１は、補正係数ＣＳＣｓを算出する算出部である。
【０２１３】
補正係数ＣＳＣｓは、係数ＲＲｓ，ＲＧｓ，ＲＢｓ，ＧＲｓ，ＧＧｓ，ＧＢｓ，ＢＲｓ，ＢＧｓ，ＢＢｓを、３行３列の行列で示す係数である。なお、補正係数ＣＳＣｓは、以下の式（１０）を用いて算出される。
【０２１４】
【数１０】
2017072625.tif 000012
【０２１５】
式（１０）に式（２）を代入することにより、式（１０）は、以下の式（１１）で表現される。
【０２１６】
【数１１】
2017072625.tif 000013
【０２１７】
なお、係数ＲＲｓ，ＲＧｓ，ＲＢｓ，ＧＲｓ，ＧＧｓ，ＧＢｓ，ＢＲｓ，ＢＧｓ，ＢＢｓは、それぞれ、係数ＲＲｍ，ＲＧｍ，ＲＢｍ，ＧＲｍ，ＧＧｍ，ＧＢｍ，ＢＲｍ，ＢＧｍ，ＢＢｍと同じ役割を有する。
【０２１８】
また、係数ＲＲｓ，ＲＧｓ，ＲＢｓ，ＧＲｓ，ＧＧｓ，ＧＢｓ，ＢＲｓ，ＢＧｓ，ＢＢｓは、式（７）、式（８）および式（９）の各々において、「ｍ」を「ｓ」に置き換えた式を満たすように設定される。
【０２１９】
ステップＳ１５０ｓでは、制御部１１は、三刺激値データＳＣＲｓと、目標データＣｔとを式（１０）に代入した式（１１）を計算する。これにより、制御部１１は、補正係数ＣＳＣｓを算出する。そして、制御部１１は、補正係数ＣＳＣｓをメモリ１２に記憶させる。なお、補正係数ＣＳＣｓは、補正係数ＣＳＣｍと同じ機能および役割を有する。
【０２２０】
ステップＳ１６０ｓでは、補正処理ｓが行われる。補正処理ｓは、補正処理ｍの説明において、「補正係数ＣＳＣｍ」を「補正係数ＣＳＣｓ」に置き換えた処理であるので詳細な説明は繰り返さない。補正処理ｓにより、画面１０に、映像Ｉｒ、映像Ｉｇ、映像Ｉｂが順に表示される。その結果、画面１０に、映像Ｉｃが表現される。
【０２２１】
以上のようにして、映像補正処理Ｎｍ（補正処理ｍ）および映像補正処理Ｎｓ（補正処理ｓ）が行われる。これにより、状況Ｓｔｎにおける映像表示装置１００ｍ，１００ｓの各々は、補正係数に基づいて、表示対象映像Ｉｍｎの輝度と状況Ｓｔｎにおける目標輝度Ｙｔとの差の絶対値を最小にし、かつ、表示対象映像Ｉｍｎの色度と状況Ｓｔｎにおける目標色度ｃｔｎとの差の絶対値を最小にする補正処理（補正処理ｍまたは補正処理ｓ）を行う。
【０２２２】
すなわち、状況Ｓｔｎにおける映像表示装置１００ｍ，１００ｓの各々において、表示映像Ｉｍｎの輝度が、目標輝度Ｙｔと同じまたは同等になり、表示対象映像Ｉｍｎの色度が、目標色度ｃｔｎと同じまたは同等になる。つまり、状況Ｓｔｎにおける映像表示装置１００ｍ，１００ｓの各々において、表示対象映像Ｉｍｎの輝度および色度が、それぞれ、目標輝度Ｙｔおよび目標色度ｃｔｎに近くなる。
【０２２３】
なお、映像表示装置１００ｍ，１００ｓの各々に含まれる各光源３は、累積駆動時間が以下の初期時間より大きい状態において、当該累積駆動時間が長くなる程、当該光源３の特性は低下する。そのため、マルチ画面１０Ａを構成する各画面１０に表示される映像の輝度および色度は、状況Ｓｔｎにおける状態から、徐々に変化する。
【０２２４】
すなわち、マルチ画面１０Ａを構成する各画面１０に表示される映像の輝度および色度は、状況Ｓｔｎにおいて調整された目標輝度Ｙｔおよび目標色度ｃｔｎから徐々に変化していく。
【０２２５】
次に、状況Ｓｔｉにおいて、マルチ画面表示装置１０００が行う処理（以下、「映像補正処理Ｉ」について説明する。状況Ｓｔｉは、前述したように、マルチ画面表示装置１０００を構成する各映像表示装置Ｄｐに含まれる各光源３の累積駆動時間が、基準時間ｉ以上の時間となった状況である。
【０２２６】
映像補正処理Ｉは、状況Ｓｔｉにおいて表現可能な、Ｗの輝度および色度を、状況Ｓｔｎにおいて調整された目標三刺激値Ｃｔｗから得られる輝度および色度と同等にするための処理である。また、映像補正処理Ｉは、Ｒ，Ｇ，Ｂ、または、当該Ｒ，Ｇ，Ｂの混色について、各画面１０間における輝度および色度を同等にするための処理である。
【０２２７】
以下においては、状況Ｓｔｉにおける映像表示装置１００ｍ（マスター装置）において処理される三刺激値ＤＳＴを、「三刺激値ＤＳＴｍｉ」ともいう。また、以下においては、状況Ｓｔｉにおける映像表示装置１００ｓ（スレーブ装置）において処理される三刺激値ＤＳＴを、「三刺激値ＤＳＴｓｉ」ともいう。
【０２２８】
以下においては、状況Ｓｔｉにおける映像表示装置１００ｍ（マスター装置）において処理される三刺激値データＳＣＲを、「三刺激値データＳＣＲｍｉ」ともいう。また、以下においては、状況Ｓｔｉおける映像表示装置１００ｓ（スレーブ装置）において処理される三刺激値データＳＣＲを、「三刺激値データＳＣＲｓｉ」ともいう。
【０２２９】
三刺激値データＳＣＲｍｉは、以下の式（１２）のように表現される。
【０２３０】
【数１２】
2017072625.tif 000014
【０２３１】
式（１２）のＸｒｍｉ，Ｙｒｍｉ，Ｚｒｍｉ，Ｘｇｍｉ，Ｙｇｍｉ，Ｚｇｍｉ，Ｘｂｍｉ，Ｙｂｍｉ，Ｚｂｍｉは、状況Ｓｔｉにおける映像表示装置１００ｍが処理する三刺激値である。Ｘｒｍｉ，Ｙｒｍｉ，Ｚｒｍｉは、三刺激値ＤＳＴｒに係数Ｈｒを乗算することにより得られる三刺激値ＳＣＲｒである。Ｘｇｍｉ，Ｙｇｍｉ，Ｚｇｍｉは、三刺激値ＤＳＴｇに係数Ｈｇを乗算することにより得られる三刺激値ＳＣＲｇである。Ｘｂｍｉ，Ｙｂｍｉ，Ｚｂｍｉは、三刺激値ＤＳＴｂに係数Ｈｂを乗算することにより得られる三刺激値ＳＣＲｂである。
【０２３２】
また、三刺激値データＳＣＲｓｉは、以下の式（１３）のように表現される。
【０２３３】
【数１３】
2017072625.tif 000015
【０２３４】
式（１３）において、Ｘｒｓｉ，Ｙｒｓｉ，Ｚｒｓｉ，Ｘｇｓｉ，Ｙｇｓｉ，Ｚｇｓｉ，Ｘｂｓｉ，Ｙｂｓｉ，Ｚｂｓｉは、状況Ｓｔｉにおける映像表示装置１００ｓが処理する三刺激値である。Ｘｒｓｉ，Ｙｒｓｉ，Ｚｒｓｉは、三刺激値ＤＳＴｒに係数Ｈｒを乗算することにより得られる三刺激値ＳＣＲｒである。Ｘｇｓｉ，Ｙｇｓｉ，Ｚｇｓｉは、三刺激値ＤＳＴｇに係数Ｈｇを乗算することにより得られる三刺激値ＳＣＲｇである。Ｘｂｓｉ，Ｙｂｓｉ，Ｚｂｓｉは、三刺激値ＤＳＴｂに係数Ｈｂを乗算することにより得られる三刺激値ＳＣＲｂである。
【０２３５】
本実施の形態では、映像補正処理Ｉが開始される直前において、状況Ｓｔｉにおける映像表示装置１００ｍ，１００ｓの各々の動作モードは、輝度低減モードに設定されている。
【０２３６】
図７は、本発明の実施の形態１に係る映像補正処理Ｉのフローチャートである。映像補正処理Ｉは、映像表示装置１００ｍ（マスター装置）が行う映像補正処理Ｉｍと、映像表示装置１００ｓ（スレーブ装置）が行う映像補正処理Ｉｓとを含む。
【０２３７】
図７において、図５のステップ番号と同じステップ番号の処理は、映像補正処理Ｎｍおよび映像補正処理Ｎｓで説明した処理と同様な処理が行われるので詳細な説明は繰り返さない。以下、映像補正処理Ｎｍおよび映像補正処理Ｎｓと異なる点を中心に説明する。
【０２３８】
ここで、以下の前提Ｐｒ２を考慮する。前提Ｐｒ２では、状況Ｓｔｉにおける映像表示装置１００ｍ，１００ｓの各々において、検出部ＳＮ１に、オフ光Ｌｎである前述のオフ光Ｌｎｒ，Ｌｎｇ，Ｌｎｂが、順次、照射される。
【０２３９】
また、前提Ｐｒ２では、前述の状況Ｓｔｎにおける映像表示装置１００ｍ，１００ｓの各々に含まれる各光源３の出射光の最大輝度値ＹＭｘは、値Ｖａである。当該値Ｖａは、０より大きい実数である。
【０２４０】
また、前提Ｐｒ２では、前述の状況Ｓｔｉにおける映像表示装置１００ｍ，１００ｓの各々に含まれる各光源３の出射光の最大輝度値ＹＭｘは、値Ｖｂである。当該値Ｖｂは、０より大きい実数である。当該値Ｖｂは、値Ｖａより小さい。
【０２４１】
以下においては、前述の状況Ｓｔｎにおける前述のＣｔ算出処理（Ｓ１３０ｍ）により算出された目標データＣｔを、「算出目標データＣｔ」ともいう。また、以下においては、算出目標データＣｔが算出される際において、状況Ｓｔｎにおける映像表示装置１００ｍ，１００ｓの各々に含まれる各光源３の出射光の輝度値に設定された抑制値を、「抑制値Ｎｎ」ともいう。
【０２４２】
前提Ｐｒ２では、映像表示装置１００ｍ，１００ｓの各々に含まれるメモリ１２には、目標データＣｔが記憶されている。前提Ｐｒ２では、映像表示装置１００ｍ，１００ｓの各々に含まれるメモリ１２に記憶されている目標データＣｔは、前述の算出目標データＣｔである。
【０２４３】
以下においては、算出目標データＣｔが示すＹｔｒ，Ｙｔｇ，Ｙｔｂの各々を、「Ｙｔ」と表現する。当該Ｙｔは、状況Ｓｔｎにおいて画面１０に表示される映像の輝度である。以下においては、前述のＹｒｍｉ，Ｙｇｍｉ，Ｙｂｍｉ，Ｙｒｓｉ，Ｙｇｓｉ，Ｙｒｓｉの各々を、「Ｙｉ」とも表現する。Ｙｉは、状況Ｓｔｉにおいて、映像表示装置１００ｍ，１００ｓの各々の画面１０に表示される映像の輝度である。
【０２４４】
また、前提Ｐｒ２では、算出目標データＣｔは、抑制値Ｎｎが、値Ｖａより小さく、かつ、値Ｖｂ以下である状態において、算出されたデータである。
【０２４５】
また、前提Ｐｒ２では、映像補正処理Ｉが開始される直前において、映像表示装置１００ｍ，１００ｓの各々において、光源制御部１４は、Ｙｉ≧Ｙｔが成立し、かつ、状況Ｓｔｉにおいて、値Ｖｂ以下であって、かつ、抑制値Ｎｎ以上の値を示す輝度を有する出射光を各光源３が出射するように、当該各光源３を制御する。
【０２４６】
次に、前提Ｐｒ２における映像補正処理Ｉについて説明する。映像表示装置１００ｍが行う映像補正処理Ｉｍでは、まず、ステップＳ１１０ｍＡの処理が行われる。
【０２４７】
ステップＳ１１０ｍＡでは、映像補正処理ＮｍのＤＳＴｍ取得処理と同様に、ＤＳＴｍｉ取得処理が行われる。これにより、検出部ＳＮ１は、三刺激値ＤＳＴｍｉである三刺激値ＤＳＴｒ，ＤＳＴｇ，ＤＳＴｂを、順次、表示特性算出部１５へ送信する。
【０２４８】
ステップＳ１２０ｍＡでは、ＳＣＲｍｉ算出処理が行われる。ＳＣＲｍｉ算出処理では、表示特性算出部１５は、受信した三刺激値ＤＳＴｒ，ＤＳＴｇ，ＤＳＴｂに、それぞれ、係数Ｈｒ，Ｈｇ，Ｈｂを乗算することにより、状況Ｓｔｉにおける三刺激値ＳＣＲｒ，ＳＣＲｇ，ＳＣＲｒｂを算出する。
【０２４９】
本実施の形態では、状況Ｓｔｉにおける映像表示装置１００ｍ，１００ｓの各々において表現可能な、Ｗの輝度および色度を、状況Ｓｔｎにおいて調整された目標三刺激値Ｃｔｗから得られる輝度および色度と同等にするために、以下の輝度条件Ａが満たされるようにする。
【０２５０】
輝度条件Ａは、映像表示装置１００ｍ，１００ｓの各々において、Ｒ，Ｇ，Ｂの各映像が表示された状態における輝度を表す各Ｙが、目標データＣｔのＹｔｒ，Ｙｔｇ，Ｙｔｂ以上であるという条件である。具体的には、輝度条件Ａは、以下の式（１４）で示される条件である。
【０２５１】
【数１４】
2017072625.tif 000016
【０２５２】
式（１４）は、６個の式を含む。以下においては、式（１４）に含まれる各式を、「輝度条件式」ともいう。また、以下においては、映像表示装置１００ｍに関する輝度条件式を、「輝度条件式ｍ」ともいう。輝度条件式ｍは、式（１４）における、Ｙｒｍｉ，Ｙｇｍｉ，Ｙｂｍｉの各々に関する式である。
【０２５３】
また、また、以下においては、映像表示装置１００ｓに関する輝度条件式を、「輝度条件式ｓ」ともいう。輝度条件式ｓは、式（１４）における、Ｙｒｓｉ，Ｙｇｓｉ，Ｙｒｓｉの各々に関する式である。
【０２５４】
ステップＳ１２１ｍでは、制御部１１が、三刺激値データＳＣＲｍｉと目標データＣｔとを参照して、全ての輝度条件式ｍが満たされるか否かを判定する。ステップＳ１２１ｍにおいてＹＥＳならば、処理は後述のステップＳ１３０ｍＡへ移行する。一方、ステップＳ１２１ｍにおいてＮＯならば、処理はステップＳ１２２ｍへ移行する。
【０２５５】
なお、前述したように、前提Ｐｒ２では、Ｙｉ≧Ｙｔが成立するように、映像表示装置１００ｍ，１００ｓの各々において、光源制御部１４は、各光源３の出射光の輝度を制御する。そのため、式（１４）における全ての輝度条件式ｍは満たされる。
【０２５６】
そのため、ステップＳ１２１ｍでＹＥＳと判定され、処理は、ステップＳ１３０ｍＡへ移行する。
【０２５７】
なお、仮に、満たされない輝度条件式ｍが存在する場合、ステップＳ１２２ｍにおいて、輝度増加処理ｍが行われる。輝度増加処理ｍでは、光源制御部１４が、各輝度条件式ｍのうち、満たされない輝度条件式ｍに対応する光源３の出射光の輝度を増加させる処理を行う。例えば、光源制御部１４は、光源３の出射光の輝度の値が、当該値の１．１倍になるように、当該光源３を制御する。
【０２５８】
例えば、Ｙｇｍｉ≧Ｙｔｇが満たされない、すなわち、Ｙｇｍｉ＜Ｙｔｇであるとする。この場合、光源制御部１４は、光源３ｇの出射光の輝度の値が、当該値の１．１倍になるように、当該光源３ｇを制御する。輝度増加処理ｍの処理の後、再度、ステップＳ１１０ｍＡが行われる。
【０２５９】
全ての輝度条件式ｍが満たされない場合、当該全ての輝度条件式ｍが満たされるまで、ステップＳ１１０ｍＡ，Ｓ１２０ｍＡ，Ｓ１２２ｍは繰り返し行われる。全ての輝度条件式ｍが満たされる場合（Ｓ１２１ｍでＹＥＳ）、表示特性算出部１５は、状況Ｓｔｉにおける最新の三刺激値ＳＣＲｒ，ＳＣＲｇ，ＳＣＲｒｂを示す前述の三刺激値データＳＣＲｍｉを、制御部１１を介して、メモリ１２に記憶させる。
【０２６０】
映像表示装置１００ｓが行う映像補正処理Ｉｓでは、まず、ステップＳ１１０ｓＡの処理が行われる。
【０２６１】
ステップＳ１１０ｓＡでは、映像補正処理ＮｓのＤＳＴｓ取得処理と同様に、ＤＳＴｓｉ取得処理が行われる。これにより、検出部ＳＮ１は、三刺激値ＤＳＴｓｉである三刺激値ＤＳＴｒ，ＤＳＴｇ，ＤＳＴｂを、順次、表示特性算出部１５へ送信する。
【０２６２】
ステップＳ１２０ｓＡでは、ＳＣＲｓｉ算出処理が行われる。ＳＣＲｓｉ算出処理では、表示特性算出部１５は、受信した三刺激値ＤＳＴｒ，ＤＳＴｇ，ＤＳＴｂに、それぞれ、係数Ｈｒ，Ｈｇ，Ｈｂを乗算することにより、状況Ｓｔｉにおける三刺激値ＳＣＲｒ，ＳＣＲｇ，ＳＣＲｒｂを算出する。
【０２６３】
ステップＳ１２１ｓでは、制御部１１が、三刺激値データＳＣＲｓｉと目標データＣｔとを参照して、全ての輝度条件式ｓが満たされるか否かを判定する。ステップＳ１２１ｓにおいてＹＥＳならば、処理は後述のステップＳ１２５ｓＡへ移行する。一方、ステップＳ１２１ｓにおいてＮＯならば、処理はステップＳ１２２ｓへ移行する。
【０２６４】
なお、前述したように、前提Ｐｒ２では、Ｙｉ≧Ｙｔが成立するように、映像表示装置１００ｍ，１００ｓの各々において、光源制御部１４は、各光源３の出射光の輝度を制御する。そのため、式（１４）における全ての輝度条件式ｓは満たされる。
【０２６５】
そのため、ステップＳ１２１ｓでＹＥＳと判定され、処理は、ステップＳ１２５ｓＡへ移行する。
【０２６６】
なお、仮に、満たされない輝度条件式ｓが存在する場合、ステップＳ１２２ｓにおいて、輝度増加処理ｓが行われる。輝度増加処理ｓは、輝度増加処理ｍと同様な処理であるので詳細な説明は省略する。輝度増加処理ｓの処理の後、再度、ステップＳ１１０ｓＡが行われる。
【０２６７】
全ての輝度条件式ｓが満たされない場合、当該全ての輝度条件式ｓが満たされるまで、ステップＳ１１０ｓＡ，Ｓ１２０ｓＡ，Ｓ１２２ｓは繰り返し行われる。全ての輝度条件式ｓが満たされる場合（Ｓ１２１ｓでＹＥＳ）、表示特性算出部１５は、状況Ｓｔｉにおける最新の三刺激値ＳＣＲｒ，ＳＣＲｇ，ＳＣＲｒｂを示す前述の三刺激値データＳＣＲｓｉを、制御部１１を介して、メモリ１２に記憶させる。
【０２６８】
ステップＳ１２５ｓＡでは、ＳＣＲｓｉ送信処理が行われる。ＳＣＲｓｉ送信処理では、制御部１１が、最新の三刺激値データＳＣＲｓｉを、通信ケーブル１６を介して、映像表示装置１００ｍへ送信する。これにより、映像表示装置１００ｍの制御部１１は、三刺激値データＳＣＲｓｉを受信し、当該三刺激値データＳＣＲｓｉを、メモリ１２に記憶させる。そして、映像表示装置１００ｍは、ステップＳ１３０ｍＡを行う。
【０２６９】
ステップＳ１３０ｍＡでは、Ｃｔｉ算出処理が行われる。Ｃｔｉ算出処理では、詳細は後述するが、映像表示装置１００ｍの算出部１３が、まず、三刺激値データＳＣＲｍｉおよび三刺激値データＳＣＲｓｉに基づいて、以下の式（１５）の共通データＣｎｔｉを算出する。
【０２７０】
【数１５】
2017072625.tif 000017
【０２７１】
以下においては、式（１５）のＸｎｔｒｉ，Ｙｎｔｒｉ，Ｚｎｔｒｉを、「三刺激値Ｃｎｔｒｉ」ともいう。また、以下においては、式（１５）のＸｎｔｇｉ，Ｙｎｔｇｉ，Ｚｎｔｇｉを、「三刺激値Ｃｎｔｇｉ」ともいう。また、以下においては、式（１５）のＸｎｔｂｉ，Ｙｎｔｂｉ，Ｚｎｔｂｉを、「三刺激値Ｃｎｔｂｉ」ともいう。
【０２７２】
Ｃｔｉ算出処理では、算出部１３は、まず、Ｃｔ算出処理と同様に、共通領域三角形ＴＲｃｍを特定する。
【０２７３】
ここで、映像表示装置１００ｍに含まれる状況Ｓｔｉにおける各光源３の出射光による色再現範囲は、一例として、図６の三角形ＴＲｍであると仮定する。また、映像表示装置１００ｍに含まれる状況Ｓｔｉにおける各光源３の出射光による色再現範囲は、一例として、図６の三角形ＴＲｓであると仮定する。また、状況Ｓｔｉのもとで、各映像表示装置Ｄｐ（映像表示装置１００ｍ，１００ｓ）が当該映像表示装置Ｄｐの画面１０において共通して表現可能な色の範囲は、一例として、図６の共通領域三角形ＴＲｃｍであると仮定する。
【０２７４】
この場合、Ｃｔｉ算出処理では、算出部１３が、三刺激値データＳＣＲｍｉの三刺激値ＳＣＲｒ，ＳＣＲｇ，ＳＣＲｒｂを利用して、色度ＣＰｒｍ，ＣＰｇｍ，ＣＰｂｍを算出し、三角形ＴＲｍを特定する。なお、三角形ＴＲｍの特定方法は、前述の図６で説明した処理と同様なので詳細な説明は省略する。
【０２７５】
また、算出部１３は、三角形ＴＲｍの特定方法と同様な方法により、三刺激値データＳＣＲｓｉの三刺激値ＳＣＲｒ，ＳＣＲｇ，ＳＣＲｒｂを利用して、色度ＣＰｒｓ，ＣＰｇｓ，ＣＰｂｓを算出し、三角形ＴＲｓを特定する。
【０２７６】
次に、算出部１３は、前述と同様に、規則Ｒｕ１，Ｒｕ２に従い、三角形ＴＲｍおよび三角形ＴＲｓに基づいて、色度ＣＰｒｃｍ、色度ＣＰｇｃｍ（色度ＣＰｇｓ）および色度ＣＰｂｃｍを算出し、共通領域三角形ＴＲｃｍを特定する。
【０２７７】
特定された共通領域三角形ＴＲｃｍは、状況Ｓｔｉのもとで、各映像表示装置Ｄｐ（映像表示装置１００ｍ，１００ｓ）が当該映像表示装置Ｄｐの画面１０において共通して表現可能な色の範囲を示す。
【０２７８】
次に、算出部１３は、三刺激値ＳＣＲｒの輝度、および、三刺激値データＳＣＲｓｉの輝度のうち、最も値が小さい輝度を、共通輝度として算出する。
【０２７９】
以下においては、状況Ｓｔｉにおける、Ｒの共通輝度を、「共通輝度Ｙｎｔｒｉ」または「Ｙｎｔｒｉ」ともいう。また、以下においては、状況Ｓｔｉにおける、Ｇの共通輝度を、「共通輝度Ｙｎｔｇｉ」または「Ｙｎｔｇｉ」ともいう。また、以下においては、状況Ｓｔｉにおける、Ｂの共通輝度を、「共通輝度Ｙｎｔｂｉ」または「Ｙｎｔｂｉ」ともいう。
【０２８０】
具体的には、算出部１３は、三刺激値ＳＣＲｒのＹｒｍｉ（輝度）、および、三刺激値データＳＣＲｓのＹｒｓｉ（輝度）うち、最も値が小さい輝度を、共通輝度Ｙｎｔｒｉとして算出する。例えば、ＹｒｍｉがＹｒｓｉより小さい場合、算出部１３は、当該Ｙｒｍｉを、共通輝度Ｙｎｔｒｉとして算出する。
【０２８１】
算出部１３は、共通輝度Ｙｎｔｒｉと同様な方法により、ＹｇｍｉおよびＹｇｓｉのいずれかを、共通輝度Ｙｎｔｇｉとして算出する。共通輝度Ｙｎｔｂｉは、共通輝度Ｙｎｔｒｉと同様な方法により、ＹｂｍｉおよびＹｂｓｉを使用して算出される。
【０２８２】
次に、算出部１３は、共通領域三角形ＴＲｃｍにおける、算出された各色度（色度ＣＰｒｃｍ，ＣＰｇｓ（ＣＰｇｃｍ），ＣＰｂｃｍ）と、算出された共通輝度Ｙｎｔｒｉ，Ｙｎｔｇｉ，Ｙｎｔｂｉとを用いて、三刺激値を算出する。
【０２８３】
具体的には、算出部１３は、共通輝度Ｙｎｔｒｉと、図６を用いて説明した前述の方法と同様な方法により、ｕ’ｖ’色度図における色度ＣＰｒｃｍの座標とから、三刺激値ＣｎｔｒｉのＸｎｔｒｉ，Ｚｎｔｒｉを算出する。これにより、三刺激値Ｃｎｔｒｉ（Ｘｎｔｒｉ，Ｙｎｔｒｉ，Ｚｎｔｒｉ）が算出される。
【０２８４】
また、算出部１３は、三刺激値Ｃｎｔｒｉと同様な方法により、共通輝度Ｙｎｔｇｉと、色度ＣＰｇｓ（ＣＰｇｃｍ）を用いて、前述の三刺激値Ｃｎｔｇｉ（Ｘｎｔｇｉ，Ｙｎｔｇｉ，Ｚｎｔｇｉ）を算出する。また、算出部１３は、三刺激値Ｃｎｔｒｉと同様な方法により、共通輝度Ｙｎｔｂｉと、色度ＣＰｂｃｍを用いて、前述の三刺激値Ｃｎｔｂｉ（Ｘｎｔｂｉ，Ｙｎｔｂｉ，Ｚｎｔｂｉ）を算出する。
【０２８５】
そして、算出部１３は、三刺激値Ｃｎｔｒｉ，Ｃｎｔｇｉ，Ｃｎｔｂｉを示す、式（１５）の共通データＣｎｔｉを算出する。
【０２８６】
以下においては、状況Ｓｔｉにおける目標輝度および目標色度を特定するためのデータを、「目標データＣｔｉ」ともいう。
【０２８７】
以下においては、状況Ｓｔｉにおいて、仮に、前述の状況ＳｔＬｒａを発生させた状態における画面１０の目標三刺激値を、「三刺激値Ｃｔｒｉ」ともいう。また、以下においては、状況Ｓｔｉにおいて、仮に、前述の状況ＳｔＬｇａを発生させた状態における画面１０の目標三刺激値を「三刺激値Ｃｔｇｉ」ともいう。また、以下においては、状況Ｓｔｉにおいて、仮に、前述の状況ＳｔＬｇａを発生させた状態における画面１０の目標三刺激値を、「三刺激値Ｃｔｂｉ」ともいう。
【０２８８】
目標データＣｔｉは、三刺激値Ｃｔｒｉ，Ｃｔｇｉ，Ｃｔｂｉを示すデータである。すなわち、目標データＣｔｉは、Ｒ，Ｇ，Ｂの各々に対応する三刺激値を示す。そのため、目標データＣｔｉは、９つの要素を示す、３行３列の行列で表現される。
【０２８９】
なお、仮に、前述の式（６）および式（１１）を使用した方法と同様な方法により、共通データＣｎｔｉを目標データとして用いて、補正係数を算出した場合、画面間の輝度差および色度差を小さくするための当該補正係数を算出することができる。しかしながら、状況ＳｔｉにおけるＷの目標三刺激値は、状況ＳｔｎにおけるＷの目標三刺激値が変化した値となる。
【０２９０】
そのため、状況Ｓｔｉでは、前述の状況Ｓｔｎとは異なる方法で補正係数を算出する。状況Ｓｔｉでは、共通データＣｎｔｉを使用して、Ｗの目標三刺激値の変化を考慮した目標データＣｔｉが算出される。そして、当該目標データＣｔｉを使用して補正係数が算出される。
【０２９１】
具体的には、算出部１３は、Ｗの目標三刺激値の変化を考慮した係数Ａｉ、Ｂｉ、Ｃｉを算出する。係数Ａｉ、Ｂｉ、Ｃｉは、共通データＣｎｔｉと、前述のステップＳ１３１ｍにより算出された目標三刺激値Ｃｔｗと、以下の式（１６）とにより算出される。
【０２９２】
【数１６】
2017072625.tif 000018
【０２９３】
次に、算出部１３は、共通データＣｎｔｉと、係数Ａｉ、Ｂｉ、Ｃｉと、以下の式（１７）とを用いて、目標データＣｔｉを算出する。目標データＣｔｉは、以下の式（１７）により算出される。
【０２９４】
【数１７】
2017072625.tif 000019
【０２９５】
式（１７）のＸｔｒｉ，Ｙｔｒｉ，Ｚｔｒｉは、三刺激値Ｃｔｒｉである。Ｘｔｇｉ，Ｙｔｇｉ，Ｚｔｇｉは、三刺激値Ｃｔｇｉである。Ｘｔｂｉ，Ｙｔｂｉ，Ｚｔｂｉは、三刺激値Ｃｔｂｉである。
【０２９６】
以下においては、状況Ｓｔｉのもとで、マルチ画面表示装置１０００を構成する各映像表示装置Ｄｐが当該映像表示装置Ｄｐの画面１０において共通して表現可能な目標輝度を、「目標輝度Ｙｔｉ」ともいう。すなわち、算出された目標データＣｔｉのＹｔｒｉ，Ｙｔｇｉ，Ｙｔｂｉの各々は、目標輝度Ｙｔｉである。つまり、目標データＣｔｉは、目標輝度Ｙｔｉを特定するためのデータである。
【０２９７】
以下においては、状況Ｓｔｉのもとで、マルチ画面表示装置１０００を構成する各映像表示装置Ｄｐが当該映像表示装置Ｄｐの画面１０において共通して表現可能な目標色度を、「目標色度ｃｔｉ」ともいう。
【０２９８】
以下においては、状況Ｓｔｉにおける、Ｒの目標色度を、「目標色度ｃｔｒｉ」ともいう。また、以下においては、状況Ｓｔｉにおける、Ｇの目標色度を、「目標色度ｃｔｇｉ」ともいう。また、以下においては、状況Ｓｔｉにおける、Ｂの目標色度を、「目標色度ｃｔｂｉ」ともいう。目標色度ｃｔｒｉ，ｃｔｇｉ，ｃｔｂｉの各々は、目標色度ｃｔｉである。
【０２９９】
なお、目標データＣｔｉのＸｔｒｉ，Ｙｔｒｉ，Ｚｔｒｉを使用して、一般的な変換式により、ｕ’ｖ’色度図における目標色度ｃｔｒｉを求めることができる。また、目標データＣｔｉのＸｔｇｉ，Ｙｔｇｉ，Ｚｔｇｉにより、目標色度ｃｔｒｉと同様に、ｕ’ｖ’色度図における目標色度ｃｔｇｉを求めることができる。また、目標データＣｔｉのＸｔｂｉ，Ｙｔｂｉ，Ｚｔｂｉより、目標色度ｃｔｒｉと同様に、ｕ’ｖ’色度図における目標色度ｃｔｂｉを求めることができる。すなわち、目標データＣｔｉは、目標色度ｃｔｉを特定するためのデータでもある。
【０３００】
なお、目標データＣｔｉは、状況Ｓｔｉにおける、各映像表示装置Ｄｐの各オフ光Ｌｎを使用して算出される。すなわち、算出部１３は、状況Ｓｔｉにおける、各映像表示装置Ｄｐの各オフ光Ｌｎに基づいて、目標データＣｔｉを算出する。
【０３０１】
ステップＳ１４０ｍＡでは、Ｃｔｉ送信処理が行われる。Ｃｔｉ送信処理では、制御部１１が、算出された目標データＣｔｉを、通信ケーブル１６を介して、映像表示装置１００ｓへ送信する。これにより、映像表示装置１００ｓの制御部１１は、目標データＣｔｉを受信する。
【０３０２】
映像表示装置１００ｓでは、ステップＳ１４１ｓＡの処理が行われる。ステップＳ１４１ｓＡでは、Ｃｔｉ記憶処理が行われる。Ｃｉｔ記憶処理では、制御部１１が、受信した目標データＣｔｉを、メモリ１２に記憶させる。
【０３０３】
また、映像表示装置１００ｍでは、ステップＳ１４１ｍＡの処理が行われる。ステップＳ１４１ｍＡでは、Ｃｔ記憶処理ｉが行われる。Ｃｔ記憶処理ｉでは、制御部１１が、目標データＣｔｉを、メモリ１２に記憶させる。
【０３０４】
ステップＳ１５０ｍＡでは、ＣＳＣｍｉ算出処理が行われる。ＣＳＣｍｉ算出処理では、詳細は後述するが、制御部１１が、状況Ｓｔｉに対応する目標データＣｔｉに基づいて、補正係数ＣＳＣｍｉを算出する。すなわち、制御部１１は、補正係数ＣＳＣｍｉを算出する算出部である。
【０３０５】
補正係数ＣＳＣｍｉは、係数ＲＲｍｉ，ＲＧｍｉ，ＲＢｍｉ，ＧＲｍｉ，ＧＧｍｉ，ＧＢｍｉ，ＢＲｍｉ，ＢＧｍｉ，ＢＢｍｉを、３行３列の行列で示す係数である。詳細は後述するが、補正係数ＣＳＣｍｉは、以下の式（１８）を用いて算出される。
【０３０６】
【数１８】
2017072625.tif 000020
【０３０７】
式（１８）において、ＳＣＲｍｉは、式（１２）の三刺激値データＳＣＲｍｉである。また、Ｃｔｉは、式（１７）の目標データＣｔｉである。
【０３０８】
以下においては、状況Ｓｔｉにおける表示対象映像を、「表示対象映像Ｉｍｉ」ともいう。表示対象映像Ｉｍｉは、状況Ｓｔｉのもとで各映像表示装置Ｄｐの画面１０に表示するための映像である。
【０３０９】
以下においては、補正係数ＣＳＣｍｉを、映像データが示す画素データに乗算することにより得られる、補正された画素データを、「補正画素データ」ともいう。以下においては、ｋ個の補正画素データを示す映像データを、「補正映像データ」ともいう。また、以下においては、補正映像データを示す映像信号Ｖｓｇを、「補正映像信号Ｖｓｇａ」ともいう。
【０３１０】
なお、状況Ｓｔｉにおいて、映像データに対応するｋ個の補正画素データを使用した処理が行われることにより、補正された表示対象映像Ｉｍｉが得られる。
【０３１１】
補正係数ＣＳＣｍｉは、三刺激値ＳＣＲｒ，ＳＣＲｇ，ＳＣＲｂの各々の成分の強度を示す。補正係数ＣＳＣｍｉは、映像信号Ｖｓｇが示す各映像データが示す元映像の輝度および色度を補正するための係数である。
【０３１２】
また、補正係数ＣＳＣｍｉは、表示対象映像Ｉｍｉの輝度を、目標輝度Ｙｔｉと同じまたは同等にし、表示対象映像Ｉｍｉの色度を、目標色度ｃｔｉと同じまたは同等にするための係数である。すなわち、補正係数ＣＳＣｍｉは、表示対象映像Ｉｍｎの輝度と状況Ｓｔｉにおける目標輝度Ｙｔｉとの差の絶対値を最小にし、かつ、表示対象映像Ｉｍｉの色度と状況Ｓｔｉにおける目標色度ｃｔｉとの差の絶対値を最小にするための係数である。
【０３１３】
式（１８）のＲＲｍｉ，ＲＧｍｉ，ＲＢｍｉ，ＧＲｍｉ，ＧＧｍｉ，ＧＢｍｉ，ＢＲｍｉ，ＢＧｍｉ，ＢＢｍｉは、それぞれ、状況ＳｔｉにおけるＲＲｍ，ＲＧｍ，ＲＢｍ，ＧＲｍ，ＧＧｍ，ＧＢｍ，ＢＲｍ，ＢＧｍ，ＢＢｍである。
【０３１４】
ステップＳ１５０ｍＡのＣＳＣｍｉ算出処理では、具体的には、制御部１１が、三刺激値データＳＣＲｍｉと、目標データＣｔｉとを式（１８）に代入した式を計算する。これにより、制御部１１は、補正係数ＣＳＣｍｉを算出する。
【０３１５】
ステップＳ１５１ｍでは、制御部１１が、補正係数ＣＳＣｍｉを参照して、色再現条件ｍが満たされるか否かを判定する。色再現条件ｍは、以下の式（１９）、式（２０）および式（２１）で示される全ての条件である。
【０３１６】
【数１９】
2017072625.tif 000021
【０３１７】
【数２０】
2017072625.tif 000022
【０３１８】
【数２１】
2017072625.tif 000023
【０３１９】
以下においては、状況ＳｔｉにおけるＷ（白）の目標三刺激値を、「目標三刺激値Ｃｔｗｉ（Ｘｔｗｉ，Ｙｔｗｉ，Ｚｔｗｉ）」または「目標三刺激値Ｃｔｗｉ」と表現する。
【０３２０】
仮に、色再現条件ｍが満たされない場合、以下の不具合が発生する。当該不具合は、状況Ｓｔｉにおける映像表示装置１００ｍの三刺激値Ｃｔｒ，Ｃｔｇ，Ｃｔｂを単純に混色することにより得られる白が表示された状態において、当該白の三刺激値が、目標三刺激値Ｃｔｗｉ（Ｘｔｗｉ，Ｙｔｗｉ，Ｚｔｗｉ）とならないという不具合である。
【０３２１】
ステップＳ１５１ｍにおいてＹＥＳならば、処理は後述のステップＳ１６０ｍＡへ移行する。一方、ステップＳ１５１ｍにおいてＮＯならば、処理はステップＳ１５２ｍへ移行する。
【０３２２】
ステップＳ１５２ｍでは、輝度増加処理ｍＡが行われる。輝度増加処理ｍＡでは、光源制御部１４が、各光源３の出射光の輝度を増加させる処理を行う。光源制御部１４は、光源３ｒ，３ｇ，３ｂの各々の出射光の輝度の値が、例えば、当該値の１．１倍になるように、当該光源３ｒ，３ｇ，３ｂを制御する。そして、再度、ステップＳ１１０ｍＡが行われる。
【０３２３】
色再現条件ｍが満たされない場合、ステップＳ１２１ｍでＹＥＳと判定され、かつ、ステップＳ１５１ｍでＹＥＳと判定されるまで、上記の各処理は繰り返し行われる。
【０３２４】
以下においては、状況Ｓｔｉにおける赤色光（映像光Ｌｒ）、緑色光（映像光Ｌｇ）および青色光（映像光Ｌｇ）によって表現可能な白色を、「白色Ｗｉ」ともいう。また、以下においては、状況Ｓｔｎにおける赤色光（映像光Ｌｒ）、緑色光（映像光Ｌｇ）および青色光（映像光Ｌｇ）によって表現可能な白色を、「白色Ｗｎ」ともいう。補正係数ＣＳＣｍｉは、白色Ｗｉを、白色Ｗｎにするための係数である。具体的には、補正係数ＣＳＣｍｉは、白色Ｗｉと白色Ｗｎとの差の絶対値を最小にするための係数である。
【０３２５】
なお、ステップＳ１５１ｍでＹＥＳと判定された場合、制御部１１は、最新の補正係数ＣＳＣｍｉをメモリ１２に記憶させる。その後、ステップＳ１６０ｍＡの処理が行われる。
【０３２６】
ステップＳ１６０ｍＡでは、補正処理ｍＡが行われる。補正処理ｍＡは、前述の補正処理ｍの説明において、「補正係数ＣＳＣｍ」を「補正係数ＣＳＣｍｉ」に置き換えた処理であるので詳細な説明は繰り返さない。
【０３２７】
すなわち、補補正処理ｍＡにより、制御部１１は、補正係数ＣＳＣｍｉに基づいて、映像信号Ｖｓｇが示す映像データＩｒｖ，Ｉｇｖ，Ｉｂｖの各々が示す元映像の輝度および色度を補正することにより、表示対象映像Ｉｍｉの輝度および色度を補正する。
【０３２８】
映像表示装置１００ｓは、ステップＳ１４１ｓＡの後、ステップＳ１５０ｓＡを行う。
【０３２９】
ステップＳ１５０ｓＡでは、ＣＳＣｓｉ算出処理が行われる。ＣＳＣｓｉ算出処理は、ＣＳＣｍｉ算出処理と同様な処理であるので詳細な説明は省略する。以下、簡単に説明する。
【０３３０】
ＣＳＣｓ算出処理では、制御部１１が、状況Ｓｔｉに対応する目標データＣｔｉに基づいて、補正係数ＣＳＣｓｉを算出する。すなわち、制御部１１は、補正係数ＣＳＣｓｉを算出する算出部である。
【０３３１】
補正係数ＣＳＣｓｉは、係数ＲＲｓｉ，ＲＧｓｉ，ＲＢｓｉ，ＧＲｓｉ，ＧＧｓｉ，ＧＢｓｉ，ＢＲｓｉ，ＢＧｓｉ，ＢＢｓｉを、３行３列の行列で示す係数である。詳細は後述するが、補正係数ＣＳＣｓｉは、以下の式（２２）を用いて算出される。
【０３３２】
【数２２】
2017072625.tif 000024
【０３３３】
なお、係数ＲＲｓｉ，ＲＧｓｉ，ＲＢｓｉ，ＧＲｓｉ，ＧＧｓｉ，ＧＢｓｉ，ＢＲｓｉ，ＢＧｓｉ，ＢＢｓｉは、それぞれ、係数ＲＲｍｉ，ＲＧｍｉ，ＲＢｍｉ，ＧＲｍｉ，ＧＧｍｉ，ＧＢｍｉ，ＢＲｍｉ，ＢＧｍｉ，ＢＢｍｉと同じ役割を有する。
【０３３４】
式（２２）において、ＳＣＲｓｉは、式（１３）の三刺激値データＳＣＲｓｉである。また、Ｃｔｉは、式（１７）の目標データＣｔｉである。
【０３３５】
ステップＳ１５０ｓＡのＣＳＣｓｉ算出処理では、具体的には、制御部１１が、三刺激値データＳＣＲｓｉと、目標データＣｔｉとを式（２２）に代入した式を計算する。これにより、制御部１１は、補正係数ＣＳＣｓｉを算出する。なお、補正係数ＣＳＣｓｉは、補正係数ＣＳＣｍｉと同じ機能および役割を有する。
【０３３６】
ステップＳ１５１ｓでは、制御部１１が、補正係数ＣＳＣｓｉを参照して、色再現条件ｓが満たされるか否かを判定する。色再現条件ｓは、以下の式（２３）、式（２４）および式（２５）で示される全ての条件である。
【０３３７】
【数２３】
2017072625.tif 000025
【０３３８】
【数２４】
2017072625.tif 000026
【０３３９】
【数２５】
2017072625.tif 000027
【０３４０】
仮に、色再現条件ｓが満たされない場合も、前述した、色再現条件ｍが満たされない場合における不具合が発生する。
【０３４１】
ステップＳ１５１ｓにおいてＹＥＳならば、処理は後述のステップＳ１６０ｓＡへ移行する。一方、ステップＳ１５１ｓにおいてＮＯならば、処理はステップＳ１５２ｓへ移行する。
【０３４２】
ステップＳ１５２ｓでは、輝度増加処理ｓＡが行われる。輝度増加処理ｓＡは、輝度増加処理ｍＡと同様な処理であるので詳細な説明は省略する。そして、再度、ステップＳ１１０ｓＡが行われる。
【０３４３】
色再現条件ｓが満たされない場合、ステップＳ１２１ｓでＹＥＳと判定され、かつ、ステップＳ１５１ｓでＹＥＳと判定されるまで、上記の各処理は繰り返し行われる。
【０３４４】
なお、補正係数ＣＳＣｓｉは、補正係数ＣＳＣｍｉと同様、白色Ｗｉを、白色Ｗｎにするための係数である具体的には、補正係数ＣＳＣｓｉは、白色Ｗｉと白色Ｗｎとの差の絶対値を最小にするための係数である。すなわち、補正係数ＣＳＣｓｉは、補正係数ＣＳＣｍｉと同じ機能および役割を有する。
【０３４５】
なお、ステップＳ１５１ｓでＹＥＳと判定された場合、制御部１１は、最新の補正係数ＣＳＣｓｉをメモリ１２に記憶させる。その後、ステップＳ１６０ｓＡの処理が行われる。
【０３４６】
ステップＳ１６０ｓＡでは、補正処理ｓＡが行われる。補正処理ｓＡは、前述の補正処理ｍの説明において、「補正係数ＣＳＣｍ」を「補正係数ＣＳＣｓｉ」に置き換えた処理であるので詳細な説明は繰り返さない。補正処理ｓにより、画面１０に、映像Ｉｒ、映像Ｉｇ、映像Ｉｂが順に表示される。その結果、画面１０に、映像Ｉｃが表現される。
【０３４７】
以上のようにして、映像補正処理Ｉｍ（補正処理ｍＡ）および映像補正処理Ｉｓ（補正処理ｓＡ）が行われる。これにより、状況Ｓｔｉにおける映像表示装置１００ｍ，１００ｓの各々は、補正係数に基づいて、表示対象映像Ｉｍｎの輝度と状況Ｓｔｉにおける目標輝度Ｙｔｉとの差の絶対値を最小にし、かつ、表示対象映像Ｉｍｎの色度と状況Ｓｔｉにおける目標色度ｃｔｉとの差の絶対値を最小にする補正処理（補正処理ｍＡまたは補正処理ｓＡ）を行う。
【０３４８】
すなわち、状況Ｓｔｉにおける映像表示装置１００ｍ，１００ｓの各々において、表示映像Ｉｍｎの輝度が、目標輝度Ｙｔと同じまたは同等になり、表示対象映像Ｉｍｎの色度が、目標色度ｃｔｎｉと同じまたは同等になる。つまり、状況Ｓｔｉにおける映像表示装置１００ｍ，１００ｓの各々において、表示対象映像Ｉｍｎの輝度および色度が、それぞれ、目標輝度Ｙｔｉおよび目標色度ｃｔｉに近くなる。
【０３４９】
また、値Ｖｂは値Ｖａより小さいという前述の前提Ｐｒ２において、状況Ｓｔｉにおける映像表示装置１００ｍ，１００ｓの各々において、画面１０に白を表示した場合、当該白の輝度および色度は、状況Ｓｔｎにおける白の輝度および色度と同じまたは同等となる。つまり、以下の式（２６）が成立する。
【０３５０】
【数２６】
2017072625.tif 000028
【０３５１】
前述したように、映像補正処理Ｉｍおよび映像補正処理Ｉｓにおける、ステップＳ１２２ｍ，Ｓ１５２ｍ，Ｓ１２２ｓ，Ｓ１５２ｓでは、光源３の出射光の輝度を増加させる処理が行われる。実際には、光源３の出射光の輝度の増加量には、限界がある。例えば、光源３の順電圧の制御により、出射光の輝度が制御される場合、供給可能な順電圧の大きさには限界がある。
【０３５２】
そのため、Ｙｉ≧Ｙｔを成立させることができないまで、光源３の出射光の輝度が低下し続けた場合、ステップＳ１２２ｍ，Ｓ１５２ｍ，Ｓ１２２ｓ，Ｓ１５２ｓを行っても、色再現条件ｍまたは色再現条件ｓは満たされない場合が生じる。この場合、映像補正処理Ｉｍおよび映像補正処理Ｉｓの処理の実行は中止される。
【０３５３】
また、上記の場合、例えば、色再現条件ｍまたは色再現条件ｓを満たさない光源３を含む映像表示装置Ｄｐを、輝度増加処理の対象にしないようにしてもよい。
【０３５４】
以上のように、本実施の形態によれば、光源３の累積駆動時間の長さに関わらす、映像表示装置１００ｍ，１００ｓの各々の画面１０のＷの輝度および色度を、略一定に保つことができる。また、マルチ画面１０Ａを構成する各画面１０における、Ｗ以外の輝度および色度が、略同一となるように、当該輝度および色度を自動的に調整することができる。
【０３５５】
（具体的な数値例）
次に、具体的な数値を用いて、表示装置１００ｍ，１００ｓの各々を長時間使用した後において、どの程度の効果が得られるのかを説明する。
【０３５６】
まず、状況Ｓｔｎにおいて、図５のステップＳ１１０ｍ，Ｓ１２０ｍ，Ｓ１１０ｓ，Ｓ１２０ｓが行われたとする。これにより算出された、三刺激値データＳＣＲｍおよび三刺激値データＳＣＲｓは、以下の式（２７）および式（２８）の値を示すとする。
【０３５７】
【数２７】
2017072625.tif 000029
【０３５８】
【数２８】
2017072625.tif 000030
【０３５９】
また、上記の式（２７）および式（２８）のデータを使用して、ステップＳ１２５ｓ，Ｓ１３０ｍが行われることにより算出された目標データＣｔは、以下の式（２９）の値を示す。
【０３６０】
【数２９】
2017072625.tif 000031
【０３６１】
式（２９）の目標データＣｔから、状況ＳｔｎにおけるＲ，Ｇ，Ｂ，Ｗの輝度および色度（ｕ’ｖ’座標）は、以下のように算出される。
【０３６２】
Ｒの輝度は６４．１であり、Ｒのｕ’ｖ’座標は、（０．４９８、０．５０９）である。また、Ｇの輝度は、３００．５であり、Ｇのｕ’ｖ’座標は、（０．１１８、０．５６７）である。また、Ｂの輝度は、１０．５であり、Ｂのｕ’ｖ’座標は、（０．１８９、０．０７９）である。また、Ｗの輝度は、３７５．１であり、Ｗのｕ’ｖ’座標は、（０．１９０、０．４７６）である。
【０３６３】
ステップＳ１５０ｍにより、式（２７）および式（２９）が、式（６）に代入されることにより、以下の式（３０）が得られる。
【０３６４】
【数３０】
2017072625.tif 000032
【０３６５】
また、ステップＳ１５０ｓにより、式（２８）および式（２９）が、式（１１）に代入されることにより、以下の式（３１）が得られる。
【０３６６】
【数３１】
2017072625.tif 000033
【０３６７】
なお、式（３０）の各値は、式（７）から式（９）の条件も満たしている。また、式（３１）の各値は、式（７）、式（８）および式（９）の各々において、「ｍ」を「ｓ」に置き換えた式も満たしている。
【０３６８】
ステップＳ１６０ｍでは、式（３０）の補正係数ＣＳＣｍを使用した処理を行うことにより、補正映像信号Ｖｓｇａが得られる。そして、制御部１１は、補正映像信号Ｖｓｇａを、画像表示デバイス７へ送信する。
【０３６９】
また、ステップＳ１６０ｓでは、式（３１）の補正係数ＣＳＣｓを使用した処理を行うことにより、補正映像信号Ｖｓｇａが得られる。そして、制御部１１は、補正映像信号Ｖｓｇａを、画像表示デバイス７へ送信する。
【０３７０】
これにより、マルチ画面１０Ａを構成する各画面１０において、略同一の輝度および色度を得ることができる。また、各画面１０における輝度および色度は、式（２９）の目標データＣｔにより特定される目標輝度Ｙｔおよび目標色度ｃｔｎである。
【０３７１】
次に、状況Ｓｔｉにおいて、表示装置１００ｍ，１００ｓの各々の画面１０に表示される映像の輝度および色度の変化を調整するための処理について、具体的な数値を用いて、説明する。
【０３７２】
ここで、以下の前提Ｐｒ３を考慮する。前提Ｐｒ３では、状況Ｓｔｉにおける映像表示装置１００ｍ，１００ｓの各々に含まれる各光源３の累積駆動時間は、一例として、３００００時間であるとする。累積駆動時間が３００００時間である場合、各光源３の出射光の最大輝度値ＹＭｘは、非常に低下している。すなわち、各光源３の特性は劣化している。また、状況Ｓｔｉにおける各光源３の出射光の色度も変化している。
【０３７３】
前提Ｐｒ３において図７の映像補正処理Ｉｍおよび映像補正処理Ｉｓでは、ステップＳ１１０ｍＡ，Ｓ１２０ｍＡ，Ｓ１１０ｓＡ，Ｓ１２０ｓＡが行われたとする。これにより、三刺激値データＳＣＲｍおよび三刺激値データＳＣＲｓは、例えば、以下の式（３２）および式（３３）の値を示す。
【０３７４】
【数３２】
2017072625.tif 000034
【０３７５】
【数３３】
2017072625.tif 000035
【０３７６】
式（３２）および式（３３）の値では、式（１４）における、全ての輝度条件式ｍ、および、全ての輝度条件式ｓは満たされない。そのため、ステップＳ１２２ｍの輝度増加処理ｍ，ステップＳ１２２ｓの輝度増加処理ｓが行われる。その後、ステップＳ１１０ｍＡ，Ｓ１２０ｍＡ，Ｓ１１０ｓＡ，Ｓ１２０ｓＡが行われたとする。これにより、三刺激値データＳＣＲｍおよび三刺激値データＳＣＲｓは、例えば、以下の式（３４）および式（３５）の値を示す。
【０３７７】
【数３４】
2017072625.tif 000036
【０３７８】
【数３５】
2017072625.tif 000037
【０３７９】
式（３４）および式（３５）の値により、式（１４）における、全ての輝度条件式ｍ、および、全ての輝度条件式ｓは満たされる。
【０３８０】
その後、ステップＳ１３０ｍＡのＣｔｉ算出処理では、まず、算出部１３が、式（３４）の三刺激値データＳＣＲｍｉと、式（３５）の三刺激値データＳＣＲｓｉとを利用して共通データＣｎｔｉを算出する。算出された共通データＣｎｔｉは、以下の式（３６）となる。
【０３８１】
【数３６】
2017072625.tif 000038
【０３８２】
次に、式（３６）の共通データＣｎｔｉと、ステップＳ１３１ｍにより算出された目標三刺激値Ｃｔｗと、式（１６）とにより、係数Ａｉ、Ｂｉ、Ｃｉが算出される。
【０３８３】
次に、式（３６）の共通データＣｎｔｉと、算出された係数Ａｉ、Ｂｉ、Ｃｉと、式（１７）とにより、以下の式（３７）の目標データＣｔｉが算出される。
【０３８４】
【数３７】
2017072625.tif 000039
【０３８５】
次に、ステップＳ１５０ｍＡ，Ｓ１５０ｓＡの処理により、式（３８）の補正係数ＣＳＣｍｉ、および、式（３９）の補正係数ＣＳＣｓｉが算出される。
【０３８６】
【数３８】
2017072625.tif 000040
【０３８７】
【数３９】
2017072625.tif 000041
【０３８８】
式（３８）の補正係数ＣＳＣｍｉは、色再現条件ｍ（式（１９）、式（２０）および式（２１））を満たしている。式（３９）の補正係数ＣＳＣｓｉは、色再現条件ｓ（式（２３）、式（２４）および式（２５））を満たしている。
【０３８９】
式（３７）の目標データＣｔｉから、状況Ｓｔｉ（前提Ｐｒ３）におけるＲ，Ｇ，Ｂ，Ｗの輝度および色度（ｕ’ｖ’座標）は、以下のように算出される。
【０３９０】
Ｒの輝度は６３．６であり、Ｒのｕ’ｖ’座標は、（０．５０６、０．５０８）である。また、Ｇの輝度は、２９７．２であり、Ｇのｕ’ｖ’座標は、（０．１１７、０．５６７）である。また、Ｂの輝度は、１４．２であり、Ｂのｕ’ｖ’座標は、（０．１８２、０．１０２）である。また、Ｗの輝度は、３７５．０であり、Ｗのｕ’ｖ’座標は、（０．１９０、０．４７６）である。
【０３９１】
上記の各値を、式（２９）の目標データＣｔから算出された前述の各値と比較する。この場合、状況Ｓｔｉ（前提Ｐｒ３）におけるＷの輝度および色度は、式（２９）の目標データＣｔから算出されたＷの輝度および色度（ｕ’ｖ’座標）と、ほぼ同一である。また、Ｒ，Ｇ，Ｂ，の輝度および色度（ｕ’ｖ’座標）についても、式（２９）の目標データＣｔから算出されたＲ，Ｇ，Ｂ，の輝度および色度（ｕ’ｖ’座標）と同等である。
【０３９２】
ステップＳ１６０ｍＡでは、式（３８）の補正係数ＣＳＣｍｉを使用した処理を行うことにより、補正映像信号Ｖｓｇａが得られる。そして、制御部１１は、補正映像信号Ｖｓｇａを、画像表示デバイス７へ送信する。
【０３９３】
また、ステップＳ１６０ｓＡでは、式（３９）の補正係数ＣＳＣｓｉを使用した処理を行うことにより、補正映像信号Ｖｓｇａが得られる。そして、制御部１１は、補正映像信号Ｖｓｇａを、画像表示デバイス７へ送信する。
【０３９４】
これにより、マルチ画面１０Ａを構成する各画面１０において、略同一の輝度および色度を得ることができる。また、各画面１０における輝度および色度は、それぞれ、式（３７）の目標データＣｔｉにより特定される目標輝度Ｙｔｉおよび目標色度ｃｔｎｉである。
【０３９５】
以上により、本実施の形態の処理が行われることにより、長期間にわたって均一な映像を表示可能であることが分かる。
【０３９６】
なお、前述の映像補正処理Ｉｍおよび映像補正処理Ｉｓは、所定時間経過毎に繰り返し行われてもよい。当該所定時間は、例えば、２４時間，１００時間，１０００時間等である。これにより、マルチ画面１０Ａを構成する各画面１０に表示されるＷの輝度および色度は略一定に保たれる。また、マルチ画面１０Ａを構成する各画面１０間の輝度および色度を略同一保たれる。これにより、マルチ画面１０Ａを構成する各画面１０に、常に、均一感のある映像を表示することができる。
【０３９７】
なお、例えば、前述の前提Ｐｒ３のもとで、特開平１０−０９０６４５号公報の関連技術Ａにより、Ｗの色度のみを補正する処理（以下、「比較処理」ともいう）が行われたとする。比較処理は、本実施の形態と比較の対象となる処理である。比較処理が行われた場合、映像表示装置１００ｍにおけるＲ，Ｇ，Ｂ，Ｗの輝度および色度（ｕ’ｖ’座標）は、以下のようになる。
【０３９８】
Ｒの輝度は５４．７であり、Ｒのｕ’ｖ’座標は、（０．５０６、０．５０８）である。また、Ｇの輝度は、２４４．４であり、Ｇのｕ’ｖ’座標は、（０．１１０，０．５７４）である。また、Ｂの輝度は、６．０であり、Ｂのｕ’ｖ’座標は、（０．１９２，０．０５６）である。また、Ｗの輝度は、３０５．１であり、Ｗのｕ’ｖ’座標は、（０．１９０、０．４７６）である。
【０３９９】
また、比較処理が行われた場合、映像表示装置１００ｓにおけるＲ，Ｇ，Ｂ，Ｗの輝度および色度（ｕ’ｖ’座標）は、以下のようになる。
【０４００】
Ｒの輝度は５３．３であり、Ｒのｕ’ｖ’座標は、（０．５２１，０．５０７）である。また、Ｇの輝度は、２５３．７であり、Ｇのｕ’ｖ’座標は、（０．１１７，０．５６７）である。また、Ｂの輝度は、７．０であり、Ｂのｕ’ｖ’座標は、（０．１７２，０．０６５）である。また、Ｗの輝度は、３１４．０であり、Ｗのｕ’ｖ’座標は、（０．１９０、０．４７６）である。
【０４０１】
上記の各値を参照して、Ｗの色度は略一定に調整されている。しかしながら、輝度は、状況Ｓｔｎから低下している。また、画面間の輝度差も生じている。また、Ｗ以外の各色については、画面間の輝度差および色度差も生じている。
【０４０２】
一般的に、ｕ’ｖ’色度図における２点間の距離Δｕ’ｖ’が０．０１以上である場合、当該２点間の距離に対応する色の差は、人間の目で認識できる。比較処理による上記の結果により、ＲのΔｕ’ｖ’＝０．０１５、ＧのΔｕ’ｖ’＝０．０１０、ＢのΔｕ’ｖ’＝０．０２２である。そのため、比較処理では、人間の目で認識できる色度差が発生している。
【０４０３】
以上により、本実施の形態は、Ｗの輝度および色度を略一定に保ち、かつ、画面１０間の輝度および色度を略同一に自動的に調整するという効果が確認できる。
【０４０４】
以上説明したように、本実施の形態によれば、各映像表示装置Ｄｐは、光源３の累積駆動時間が、当該光源３の特性に変化を生じさせるための基準時間ｉ以上の時間となった状況Ｓｔｉのもとで当該映像表示装置Ｄｐの画面１０に表示するための映像である表示対象映像Ｉｍｉの輝度および色度を補正するための処理である補正処理を行う。
【０４０５】
これにより、マルチ画面表示装置は、光源３の特性に変化が生じている場合において画面１０に表示するための映像の輝度および色度を補正することができる。
【０４０６】
また、本実施の形態によれば、各光源３の累積駆動時間の長さに関わらす、マルチ画面１０Ａを構成する各画面１０にＷ（白色）を表示した場合、当該Ｗの輝度および色度を、人間が調整する必要なく、常に、略一定に保つことができる。また、マルチ画面１０Ａを構成する各画面１０における、Ｗ以外の輝度および色度が略同一となるように、当該輝度および色度を自動的に調整することができる。これにより、マルチ画面１０Ａに表示される映像の一体感を失わず、マルチ画面表示装置１０００の使用の開始初期における映像品位を長時間保つことができる。
【０４０７】
前述のように、Ｗの輝度および色度を略一定に保ち、マルチ画面を構成する画面間のＷ以外の輝度および色度が略同一となるように、自動で調整することができる。そのため、輝度および色度の調整の頻度を減らし、マルチ画面表示装置のメンテナンスのためのコストを抑えることができる。
【０４０８】
また、本実施の形態によれば、光源３の累積駆動時間の長さに関わらす、マルチ画面１０Ａを構成する各画面１０に任意の色を表示した場合でも、画面１０の輝度および色度を略一定に保つことができる。マルチ画面１０Ａを構成する各画面１０に任意の色以外の色を表示した状態においても、各画面１０の輝度および色度が、略同一となるように、常に、自動で調整することができる。そのため、マルチ画面表示装置１０００は、長期間にわたって均一な映像を表示可能である。
【０４０９】
また、本実施の形態によれば、各光源３の累積駆動時間の長さに関わらす、マルチ画面１０Ａに表示されるＷの輝度を、マルチ画面表示装置１０００の使用開始初期におけるＷの輝度と略同一に保つことができる。また、各光源３の累積駆動時間の長さに関わらす、Ｗの色度も、初期に調整された色度と略同一に保つことができる。
【０４１０】
なお、Ｗ以外の色（例えば、Ｒ、Ｇ、Ｂ単色、Ｗ以外の混色）は使用開始初期と比較すると変化するが、各画面１０間では、当該色の色度を略同一に保つように、自動的に調整することができる。これにより、マルチ画面１０Ａに表示される映像の一体感を失わず、映像品位を長時間持続可能なマルチ画面表示装置を提供することができる。
【０４１１】
また、本実施の形態によれば、光源３は、ＬＥＤである。そのため、光源３の出射光の輝度の増減を容易に制御できる。
【０４１２】
なお、Ｒ，Ｇ，ＢのＬＥＤは、発光部の構造、構成材料等の違いから、寿命、つまり、累積駆動時間が長くなることに伴って、出射光の輝度の低下の度合いが、色ごとに異なる。さらに、ＬＥＤの寿命は、当該ＬＥＤが使用される環境、特に、当該ＬＥＤの周囲の温度環境に影響を受けやすい。そのため、ＬＥＤは、使用環境温度の上昇によっても、寿命は短くなる。
【０４１３】
また、パルス幅変調方式によりＬＥＤが駆動される場合、デューティ比、つまり、点滅周期に対する点灯時間の割合が大きくなっても、ＬＥＤの寿命は短くなる。このように、投写型映像表示装置の光源として使用されるＬＥＤの寿命は個々に異なる。
【０４１４】
なお、前述の関連技術Ａのように、投写型映像表示装置の使用中に、常にマルチ画面のＷの色度を略一定に保つように調整する方法では、Ｗの色度は略一定に保たれる。しかしながら、Ｗ以外の、Ｒ，Ｇ，Ｂの単色、Ｗ以外の混色が表示された場合、色度は画面間で一定に保たれない。そのため、隣接する各画面における色度差が目立ち、マルチ画面全体における映像の一体感が損なわれる。また、時間経過に伴い、Ｗの輝度は低下するという問題がある。
【０４１５】
そこで、本実施の形態のマルチ画面表示装置１０００は上記のように構成される。そのため、当該マルチ画面表示装置１０００は、上記の各問題を解決することができる。
【０４１６】
（機能ブロック図）
図８は、マルチ画面表示装置ＢＬ１０の特徴的な機能構成を示すブロック図である。マルチ画面表示装置ＢＬ１０は、マルチ画面表示装置１０００である。つまり、図８は、マルチ画面表示装置ＢＬ１０の有する機能のうち、本発明に関わる主要な機能を示すブロック図である。
【０４１７】
マルチ画面表示装置ＢＬ１０は、互いに通信する複数の映像表示装置（図示せず）を含む。当該映像表示装置は、映像表示装置Ｄｐに相当する。また、マルチ画面表示装置ＢＬ１０は、複数の映像表示装置がそれぞれ有する複数の画面から構成されるマルチ画面（図示せず）を含む。
【０４１８】
各映像表示装置は、光を出射することによって駆動する少なくとも１つの光源（図示せず）を備える。各映像表示装置の光源が出射する光である出射光の一部は、当該映像表示装置の画面に映像を表示するために使用される。
【０４１９】
各映像表示装置には、元映像を示す映像信号が供給される。各映像表示装置の画面に、映像信号が示す元映像に基づいて、出射光の一部が変調された映像光が照射されることにより、当該画面に前記映像が表示される。
【０４２０】
マルチ画面表示装置ＢＬ１０は、機能的には、第１算出部ＢＬ１と、第２算出部ＢＬ２とを備える。第１算出部ＢＬ１は、目標となる輝度である目標輝度、および、目標となる色度である目標色度を特定するための目標データを算出する機能を有する。
【０４２１】
第１算出部ＢＬ１は、第１状況における、各映像表示装置の出射光の別の一部に基づいて、当該第１状況のもとで当該各映像表示装置が当該映像表示装置の画面において表現可能な目標輝度および目標色度を特定するための目標データを算出する。当該第１状況は、光源の累積駆動時間が、当該光源の特性に変化を生じさせるための基準時間以上の時間となった状況である。第１算出部ＢＬ１は、算出部１３に相当する。
【０４２２】
各映像表示装置は、第２算出部ＢＬ２を備える。第２算出部ＢＬ２は、第１状況に対応する目標データに基づいて、前記映像信号が示す元映像の輝度および色度を補正するための補正係数を算出する。第２算出部ＢＬ２は、制御部１１に相当する。
【０４２３】
各映像表示装置は、補正係数に基づいて、前記映像信号が示す前記元映像の輝度および色度を補正することにより、前記第１状況のもとで当該映像表示装置の前記画面に表示するための前記映像である表示対象映像の輝度および色度を補正するための処理である補正処理を行う。
【０４２４】
（その他の変形例）
以上、本発明に係るマルチ画面表示装置について、実施の形態に基づいて説明したが、本発明は、当該実施の形態に限定されるものではない。本発明の主旨を逸脱しない範囲内で、当業者が思いつく変形を実施の形態に施したものも、本発明に含まれる。つまり、本発明は、その発明の範囲内において、実施の形態を自由に組み合わせたり、実施の形態を適宜、変形、省略することが可能である。
【０４２５】
本発明に係る映像表示装置１００ｍ，１００ｓの各々は、図１で示される全ての構成要素を含まなくてもよい。すなわち、映像表示装置１００ｍ，１００ｓの各々は、本発明の効果を実現できる最小限の構成要素のみを含めばよい。
【０４２６】
また、マルチ画面表示装置１０００に含まれる、算出部１３、および、算出部である制御部１１の各々の機能は、処理回路により実現されてもよい。すなわち、マルチ画面表示装置１０００は、処理回路を備える。当該処理回路は、第１状況における、前記各映像表示装置の前記出射光の別の一部に基づいて、当該第１状況のもとで当該各映像表示装置が当該映像表示装置の前記画面において表現可能な前記目標輝度および前記目標色度を特定するための目標データを算出するための回路である。当該第１状況は、前記光源の累積駆動時間が、当該光源の特性に変化を生じさせるための基準時間以上の時間となった状況である。
【０４２７】
また、当該処理回路は、前記第１状況に対応する前記目標データに基づいて、前記映像信号が示す前記元映像の輝度および色度を補正するための補正係数を算出するための回路でもある。
【０４２８】
処理回路は、専用のハードウェアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０４２９】
以下においては、処理回路が専用のハードウェアである構成を、「構成Ｃｓ１」ともいう。また、以下においては、処理回路が、プロセッサである構成を、「構成Ｃｓ２」ともいう。また、以下においては、算出部１３、および、算出部である制御部１１の各々の機能を、ハードウェアとソフトウェアとの組み合わせにより実現する構成を、「構成Ｃｓ３」ともいう。
【０４３０】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。算出部１３および制御部１１の機能は、それぞれ、２つの処理回路で実現されてもよい。また、算出部１３および制御部１１の全ての機能が、１つの処理回路で実現されてもよい。
【０４３１】
なお、マルチ画面表示装置１０００に含まれる各構成要素の全てまたは一部を、ハードウエアで示した構成は、例えば、以下のようになる。以下においては、マルチ画面表示装置１０００に含まれる各構成要素の全てまたは一部を、ハードウエアで示したマルチ画面表示装置を、「マルチ画面表示装置ｈｄ１０」ともいう。
【０４３２】
図９は、マルチ画面表示装置ｈｄ１０のハードウエア構成図である。図９を参照して、マルチ画面表示装置ｈｄ１０は、プロセッサｈｄ１と、メモリｈｄ２とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。
【０４３３】
構成Ｃｓ２では、処理回路は、プロセッサｈｄ１である。構成Ｃｓ２では、算出部１３および制御部１１の各々の機能は、ソフトウェア、ファームウェア、またはソフトウェアとファームウェアとの組み合わせにより実現される。ソフトウェアまたはファームウェアは、プログラムとして記述され、メモリｈｄ２に格納される。
【０４３４】
また、構成Ｃｓ２では、処理回路（プロセッサｈｄ１）が、メモリｈｄ２に記憶されたプログラムを読み出して、当該プログラムを実行することにより、算出部１３および制御部１１の各々の機能は実現される。すなわち、メモリｈｄ２は、以下のプログラムを格納する。
【０４３５】
当該プログラムは、第１状況における、前記各映像表示装置の前記出射光の別の一部に基づいて、当該第１状況のもとで当該各映像表示装置が当該映像表示装置の前記画面において表現可能な前記目標輝度および前記目標色度を特定するための目標データを算出するステップを、処理回路（プロセッサｈｄ１）に実行させるためのプログラムである。
【０４３６】
また、当該プログラムは、さらに、前記第１状況に対応する前記目標データに基づいて、前記映像信号が示す前記元映像の輝度および色度を補正するための補正係数を算出するステップを、処理回路（プロセッサｈｄ１）に実行させるためのプログラムでもある。
【０４３７】
また、当該プログラムは、算出部１３および制御部１１の各々が行う処理の手順、当該処理を実行する方法等をコンピュータに実行させるものでもある。
【０４３８】
構成Ｃｓ３では、算出部１３および制御部１１の一部の機能は、専用のハードウェアで実現される。また、構成Ｃｓ３では、算出部１３および制御部１１の別の一部の機能は、ソフトウェアまたはファームウェアで実現される。
【０４３９】
例えば、算出部１３の機能は、処理回路がメモリに格納されたプログラムを読み出して実行することによって実現される。また、例えば、制御部１１の機能は、専用のハードウェアとしての処理回路で実現される。
【０４４０】
以上の構成Ｃｓ１、構成Ｃｓ２および構成Ｃｓ３のように、処理回路は、ハードウェア、ソフトウェア、ファームウェア、またはこれらの組み合わせによって、上述の各機能を実現することができる。
【０４４１】
また、本発明は、マルチ画面表示装置１０００が備える特徴的な構成部の動作をステップとする映像補正方法として実現してもよい。また、本発明は、そのような映像補正方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０４４２】
また、本発明に係る映像補正方法は、例えば、図７の映像補正処理Ｉｍおよび映像補正処理Ｉｓに相当する。また、本発明に係る映像補正方法は、例えば、図５の映像補正処理Ｎｍおよび映像補正処理Ｎｓに相当する。
【０４４３】
上記実施の形態で用いた全ての数値は、本発明を具体的に説明するための一例の数値である。すなわち、本発明は、上記実施の形態で用いた各数値に制限されない。
【０４４４】
なお、本発明は、その発明の範囲内において、実施の形態を自由に組み合わせたり、実施の形態を適宜、変形、省略することが可能である。
【符号の説明】
【０４４５】
３，３ｒ，３ｇ，３ｂ  光源、１０，１０ｍ，１０ｓ  画面、１１  制御部、１３  算出部、１４  光源制御部、１００ｍ，１００ｓ，Ｄｐ  映像表示装置、１０００，ＢＬ１０  マルチ画面表示装置、ＳＮ１  検出部。
【図１】
2017072625.tif 000042
【図２】
2017072625.tif 000043
【図３】
2017072625.tif 000044
【図４】
2017072625.tif 000045
【図５】
2017072625.tif 000046
【図６】
2017072625.tif 000047
【図７】
2017072625.tif 000048
【図８】
2017072625.tif 000049
【図９】
2017072625.tif 000050